(57)【要約】音声制御装置は、ソース機器から供給される電源電圧のレベル、クロック信号の入力の有無、デジタル信号の入力の有無、逓倍回路のロック状態、エラー率、音声クロック検出回路のロック状態、制御信号の変化の有無および同期検出回路の安定状態に基づいて音声ミュート信号を生成し、その音声ミュート信号を音声ミュート回路に与えるとともに、ＯＳＤ制御信号をＯＳＤ処理回路に与える。音声ミュート回路は、音声ミュート信号に基づいてミュート状態またはミュート解除状態に設定される。ＯＳＤ処理回路は、ＯＳＤ制御信号に基づいてメッセージをオンスクリーン表示する。
2004107750.tif 000002
【特許請求の範囲】
【請求項１】
ソースから送信される音声信号を含むデジタル信号を受信するデジタルインターフェイス受信装置であって、
前記ソースから送信される前記デジタル信号を受信する受信部と、
前記ソースとのインターフェイス状態を検出する検出装置と、
前記デジタル信号から抽出された音声信号をミュートするミュート回路と、
前記検出装置の検出結果に基づいて前記ミュート回路をミュート状態またはミュート解除状態に制御する制御装置とを備えた、デジタルインターフェイス受信装置。
【請求項２】
前記制御装置は、前記検出装置により検出されたインターフェイス状態が所定の不良状態である場合に前記ミュート回路をミュート状態に設定し、前記検出装置により検出されたインターフェイス状態が所定の正常状態になった時点から所定時間経過後に前記ミュート回路をミュート解除状態に設定する、請求項１記載のデジタルインターフェイス受信装置。
【請求項３】
前記検出装置は、前記ソースから供給される電源電圧のレベルを前記インターフェイス状態として検出する電圧検出回路を含み、
前記制御装置は、前記電圧検出回路により検出される電源電圧のレベルが所定のしきい値以下である場合に前記ミュート回路をミュート状態に設定する、請求項１記載のデジタルインターフェイス受信装置。
【請求項４】
前記受信部は前記ソースから送信されるクロック信号をさらに受信し、
前記検出装置は、前記ソースから送信されるクロック信号の入力の有無を前記インターフェイス状態として検出するクロック検出回路を含み、
前記制御装置は、前記クロック検出回路によりクロック信号の入力が検出されない場合に前記ミュート回路をミュート状態に設定する、請求項１記載のデジタルインターフェイス受信装置。
【請求項５】
前記受信部は前記ソースから送信されるクロック信号をさらに受信し、
前記受信部により受信されたクロック信号を逓倍する逓倍回路をさらに備え、
前記検出装置は、前記逓倍回路のロック状態を前記インターフェイス状態として検出するロック検出回路を含み、
前記制御装置は、前記ロック検出回路により前記逓倍回路の非ロック状態が検出された場合に前記ミュート回路をミュート状態に設定する、請求項１記載のデジタルインターフェイス受信装置。
【請求項６】
前記検出装置は、前記ソースから送信されるデジタル信号の入力の有無を検出するデジタル信号検出回路を含み、
前記制御装置は、前記デジタル信号検出回路によりデジタル信号の入力が検出されない場合に前記ミュート回路をミュート状態に設定する、請求項１記載のデジタルインターフェイス受信装置。
【請求項７】
前記検出装置は、前記ソースの動作状態を前記インターフェイス状態として検出する動作状態検出回路を含み、
前記制御装置は、前記動作状態検出回路により前記ソースが動作していないことが検出された場合に前記ミュート回路をミュート状態に設定する、請求項１記載のデジタルインターフェイス受信装置。
【請求項８】
前記動作状態検出回路は、前記ソースから送信されるデジタル信号のレベルに基づいて前記ソースの動作状態を検出するレベル検出回路を含み、
前記制御装置は、前記レベル検出回路により検出されるデジタル信号のレベルが所定値以下の場合に前記ミュート回路をミュート状態に設定する、請求項７記載のデジタルインターフェイス受信装置。
【請求項９】
前記検出装置は、前記受信部により受信されたデジタル信号のエラー率を前記インターフェイス状態として検出するエラー検出回路を含み、
前記制御装置は、前記エラー検出回路により検出されたエラー率が所定値を超える場合に前記ミュート回路をミュート状態に設定する、請求項１記載のデジタルインターフェイス受信装置。
【請求項１０】
前記受信部により受信されるデジタル信号は制御信号を含み、
前記制御信号に基づいて音声クロック信号を発生する音声クロック発生回路をさらに備え、
前記検出装置は、前記音声クロック発生回路のロック状態を前記インターフェイス状態として検出するロック検出回路を含み、
前記制御装置は、前記ロック検出回路により前記音声クロック発生回路の非ロック状態が検出された場合に前記ミュート回路をミュート状態に設定する、請求項１記載のデジタルインターフェイス受信装置。
【請求項１１】
前記受信部により受信されるデジタル信号は制御信号を含み、
前記検出装置は、前記制御信号に基づいて前記デジタル信号のフォーマットの変化を検出する変化検出回路を含み、
前記制御装置は、前記変化検出回路により前記フォーマットの変化が検出された場合に前記ミュート回路をミュート状態に設定する、請求項１記載のデジタルインターフェイス受信装置。
【請求項１２】
前記受信部により受信されるデジタル信号は映像信号および同期信号を含み、
前記検出装置は、前記同期信号に基づいて前記映像信号のフォーマットを前記インターフェイス状態として検出するフォーマット検出回路を含み、
前記制御装置は、前記フォーマット検出回路により前記映像信号のフォーマットの変化が検出された場合に前記ミュート回路をミュート状態に設定する、請求項１記載のデジタルインターフェイス受信装置。
【請求項１３】
前記受信部により受信されるデジタル信号は同期信号を含み、
前記受信部により受信されるデジタル信号から同期信号を分離する同期分離回路をさらに備え、
前記検出装置は、前記同期分離回路により分離された同期信号が安定しているか否かを前記インターフェイス状態として検出する同期検出回路を含み、
前記制御装置は、前記同期検出回路により同期信号が不安定状態にあることが検出された場合に前記ミュート回路をミュート状態に設定する、請求項１記載のデジタルインターフェイス受信装置。
【請求項１４】
前記検出装置は、前記インターフェイス状態として複数の状態を検出する複数の状態検出回路を含み、
前記制御装置は、前記複数の状態検出回路により検出された複数の状態のうち少なくとも１つが所定の不良状態である場合に前記ミュート回路をミュート状態に設定する、請求項１記載のデジタルインターフェイス受信装置。
【請求項１５】
前記受信部により受信されるデジタル信号は映像信号および制御信号を含み、
前記受信部により受信される映像信号にオンスクリーン表示のための信号を合成するオンスクリーン表示処理回路をさらに備え、
前記制御装置は、前記検出装置の検出結果に基づくメッセージがオンスクリーン表示されるように前記オンスクリーン表示処理回路を制御する、請求項１記載のデジタルインターフェイス受信装置。
【請求項１６】
前記受信部は、前記ソースから送信されるクロック信号をさらに受信し、
前記制御装置は、前記ソースから供給される電源電圧のレベルが所定のしきい値以下でありかつ前記クロック信号の入力が検出されずかつ前記デジタル信号の入力が検出されない場合に、信号の未入力を示すメッセージがオンスクリーン表示されるように前記オンスクリーン表示処理回路を制御する、請求項１５記載のデジタルインターフェイス受信装置。
【請求項１７】
前記受信部は、前記ソースから送信されるクロック信号をさらに受信し、
前記制御装置は、
前記デジタル信号から抽出される同期信号が安定状態にありかつ前記クロック信号から生成される映像クロック信号が安定状態にあり、かつ、
前記デジタル信号のエラー率が所定値を超える場合、前記制御信号に基づいて発生される音声クロック信号が不安定状態にある場合、または前記制御信号が一定時間内に変化している場合に、
著作権保護技術の認証にエラーが生じたことを示すメッセージがオンスクリーン表示されるように前記オンスクリーン表示処理回路を制御する、請求項１５記載のデジタルインターフェイス受信装置。
【請求項１８】
前記受信部は、ソースから送信されるクロック信号をさらに受信し、
前記制御装置は、
前記デジタル信号から抽出される同期信号が不安定状態にありかつ前記クロック信号から生成される映像クロック信号が不安定状態にあり、かつ、
前記デジタル信号のエラー率が所定値を超える場合、前記制御信号に基づいて発生される音声クロック信号が不安定状態にある場合、または前記制御信号が一定時間内で変化している場合に、
伝送系のエラーが生じたことを示すメッセージがオンスクリーン表示されるように前記オンスクリーン表示処理回路を制御する、請求項１５記載のデジタルインターフェイス受信装置。
【発明の詳細な説明】
【技術分野】  本発明は、音声信号を含むデジタル信号を伝送することができる伝送規格に適合するデジタルインターフェイス受信装置に関する。
【背景技術】  近年、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）規格、ＤＶＩ（Ｄｉｇｉｔａｌ  Ｖｉｓｕａｌ  Ｉｎｔｅｒｆａｃｅ）規格などの高速デジタルインターフェイス規格に準拠した種々の電子機器の開発が進められている。特に、ＨＤＭＩ規格では、映像のブランキング期間における音声信号および制御信号の伝送が規定されている。これらの高速デジタルインターフェイス規格では、ＴＭＤＳ（Ｔｒａｎｓｍｉｓｓｉｏｎ  Ｍｉｎｉｍｉｚｅｄ  Ｄｉｆｆｅｒｅｎｔｉａｌ  Ｓｉｇｎａｌｉｎｇ）というシリアル伝送方式が採用されている。
図６はＤＶＩ規格に従う従来の信号伝送システムの構成を示す図である（ＤＤＷＧ，“Ｄｉｇｉｔａｌ  Ｖｉｓｕａｌ  Ｉｎｔｅｒｆａｃｅ，”Ｒｅｖｉｓｉｏｎ  １．０，Ａｐｒｉｌ  ２，１９９９，インターネット＜ＵＲＬ：ｈｔｔｐ：／／ｗｗｗ．ｄｄｗｇ．ｏｒｇ／＞）。
図６の信号伝送システムにおいて、送信側にＴＭＤＳエンコーダ／シリアライザ２６０１，２６０２，２６０３が設けられ、受信側にＴＭＤＳデコーダ／リカバリ２６０４，２６０５，２６０６が設けられる。
送信側では、８ビットの赤色コンポーネント信号Ｒ、データイネーブル信号ＤＥおよび２ビットの制御信号ＣＴＬ２，ＣＴＬ３がＴＭＤＳエンコーダ／シリアライザ２６０１に入力される。また、８ビットの緑色コンポーネント信号Ｇ、データイネーブル信号ＤＥおよび２ビットの制御信号ＣＴＬ０，ＣＴＬ１がＴＭＤＳエンコーダ／シリアライザ２６０２に入力される。さらに、８ビットの青色コンポーネント信号Ｂ、データイネーブル信号ＤＥおよび２ビットの同期信号ＨＳＹＮＣ，ＶＳＹＮＣがＴＭＤＳエンコーダ／シリアライザ２６０３に入力される。
ＴＭＤＳエンコーダ／シリアライザ２６０１は、８ビットの赤色コンポーネント信号ＲをＴＭＤＳエンコードして１０ビットに変換し、さらにシリアル信号に変換する。８ビットから１０ビットへの変換の目的は、データの変化点を減少させることにより信号を高速伝送に適した形式にするためである。
また、ＴＭＤＳエンコーダ／シリアライザ２６０１は、２ビットの制御信号ＣＴＬ２，ＣＴＬ３をＴＭＤＳエンコードして１０ビットに変換し、さらにシリアル信号に変換する。さらに、ＴＭＤＳエンコーダ／シリアライザ２６０１は、データイネーブル信号ＤＥをエンコードし、シリアル信号に変換する。
このようにして、ＴＭＤＳエンコーダ／シリアライザ２６０１は、赤色コンポーネント信号Ｒ、データイネーブル信号ＤＥおよび制御信号ＣＴＬ２，ＣＴＬ３が時分割多重化されたシリアル信号をチャンネルｃｈ２の伝送路に送出する。
同様に、ＴＭＤＳエンコーダ／シリアライザ２６０２は、緑色コンポーネント信号Ｇ、データイネーブル信号ＤＥおよび制御信号ＣＴＬ０，ＣＴＬ１が時分割多重化されたシリアル信号をチャンネルｃｈ１の伝送路に送出する。また、ＴＭＤＳエンコーダ／シリアライザ２６０３は、青色コンポーネント信号Ｂ、データイネーブル信号ＤＥおよび同期信号ＨＳＹＮＣ，ＶＳＹＮＣが時分割多重化されたシリアル信号をチャンネルｃｈ０の伝送路に送出する。
受信側において、ＴＭＤＳデコーダ／リカバリ２６０４は、チャンネルｃｈ２の伝送路から受信したシリアル信号をＴＭＤＳデコードし、８ビットの赤色コンポーネント信号Ｒ、データイネーブル信号ＤＥおよび２ビットの制御信号ＣＴＬ２，ＣＴＬ３に復元する。ＴＭＤＳデコーダ／リカバリ２６０５は、チャンネルｃｈ１の伝送路から受信したシリアル信号をＴＭＤＳデコードし、８ビットの緑色コンポーネント信号Ｇ、データイネーブル信号ＤＥおよび２ビットの制御信号ＣＴＬ０，ＣＴＬ１を復元する。ＴＭＤＳデコーダ／リカバリ２６０６は、チャンネルｃｈ０の伝送路から受信したシリアル信号をＴＭＤＳデコードし、８ビットの青色コンポーネント信号Ｂ、データイネーブル信号ＤＥおよび２ビットの同期信号ＨＳＹＮＣ，ＶＳＹＮＣを復元する。
データイネーブル信号ＤＥは、赤色コンポーネント信号Ｒ、緑色コンポーネント信号Ｇおよび青色コンポーネント信号Ｂが存在する期間を示し、アクティブ状態でハイレベル（Ｈレベル）となる。
例えば、データイネーブル信号ＤＥがローレベル（Ｌレベル）となる期間は、映像の水平同期信号の期間または垂直同期信号の期間に相当する。また、上記のように、４つの制御信号ＣＴＬ０，ＣＴＬ１，ＣＴＬ２，ＣＴＬ３が用意されている。しかしながら、現在のＤＶＩ規格では、制御信号ＣＴＬ０，ＣＴＬ１，ＣＴＬ２，ＣＴＬ３は未使用状態である。具体的には、制御信号ＣＴＬ０，ＣＴＬ１，ＣＴＬ２，ＣＴＬ３のレベルは常時０となっている。
一方、ＨＤＭＩ規格は、ＤＶＩ規格で規定されたデジタル映像信号に追加してデジタル音声信号を伝送する規格である。デジタル音声信号を伝送した場合、ケーブルの挿抜、伝送エラー、電源オン／オフ、映像または音声のフォーマットの切り替え等により音声ノイズが発生し、ユーザに不快感を与え、あるいはスピーカにダメージを与えることもある。
【発明の開示】
本発明の目的は、音声ノイズによりユーザに不快感を与えることが防止されたデジタルインターフェイス受信装置を提供することである。
本発明の一局面に従うデジタルインターフェイス受信装置は、ソースから送信される音声信号を含むデジタル信号を受信するデジタルインターフェイス受信装置であって、ソースから送信されるデジタル信号を受信する受信部と、ソースとのインターフェイス状態を検出する検出装置と、デジタル信号から抽出された音声信号をミュートするミュート回路と、検出装置の検出結果に基づいてミュート回路をミュート状態またはミュート解除状態に制御する制御装置とを備えたものである。
そのデジタルインターフェイス受信装置においては、ソースから送信される音声信号を含むデジタル信号が受信部により受信される。また、検出装置によりソースとのインターフェイス状態が検出される。制御装置により検出装置の検出結果に基づいてミュート回路がミュート状態およびミュート解除状態に制御される。
この場合、インターフェイス状態に基づいてミュート回路により音声信号がミュートされる。それにより、音声ノイズが消去され、音声ノイズによりユーザに不快感を与えることが防止される。
制御装置は、検出装置により検出されたインターフェイス状態が所定の不良状態である場合にミュート回路をミュート状態に設定し、検出装置により検出されたインターフェイス状態が所定の正常状態になった時点から所定時間経過後にミュート回路をミュート解除状態に設定してもよい。
この場合、インターフェイス状態が所定の不良状態である場合にミュート回路がミュート状態に設定され、インターフェイス状態が所定の正常状態になった時点から所定時間経過後にミュート回路がミュート解除状態に設定される。それにより、音声ノイズが確実に消去される。
検出装置は、ソースから供給される電源電圧のレベルをインターフェイス状態として検出する電圧検出回路を含み、制御装置は、電圧検出回路により検出される電源電圧のレベルが所定のしきい値以下である場合にミュート回路をミュート状態に設定してもよい。
この場合、ソースから供給される電源電圧のレベルが所定のしきい値以下である場合にミュート回路がミュート状態に設定される。それにより、ソースの電源オフ時またはケーブルの接続不良時の音声ノイズを消去することができる。
受信部はソースから送信されるクロック信号をさらに受信し、検出装置は、ソースから送信されるクロック信号の入力の有無をインターフェイス状態として検出するクロック検出回路を含み、制御装置は、クロック検出回路によりクロック信号の入力が検出されない場合にミュート回路をミュート状態に設定してもよい。
この場合、ソースから送信されるクロック信号の入力が検出されない場合にミュート回路がミュート状態に設定される。それにより、ソースの電源オフ時、ケーブルの接続不良時、信号の未入力時または伝送系の不良時の音声ノイズを消去することができる。
受信部はソースから送信されるクロック信号をさらに受信し、受信部により受信されたクロック信号を逓倍する逓倍回路をさらに備え、検出装置は、逓倍回路のロック状態をインターフェイス状態として検出するロック検出回路を含み、制御装置は、ロック検出回路により逓倍回路の非ロック状態が検出された場合にミュート回路をミュート状態に設定してもよい。
この場合、逓倍回路の非ロック状態が検出された場合にミュート回路がミュート状態に設定される。それにより、ソースの電源オフ時、デジタル信号のフォーマットの変化時、ケーブルの接続不良時、信号の未入力時または伝送系の不良時の音声ノイズを消去することができる。
検出装置は、ソースから送信されるデジタル信号の入力の有無を検出するデジタル信号検出回路を含み、制御装置は、デジタル信号検出回路によりデジタル信号の入力が検出されない場合にミュート回路をミュート状態に設定してもよい。
この場合、デジタル信号の入力が検出されない場合にミュート回路がミュート状態に設定される。それにより、ソースの電源オフ時、ケーブルの接続不良時、信号の未入力時または伝送系の不良時の音声ノイズを消去することができる。
検出装置は、ソースの動作状態をインターフェイス状態として検出する動作状態検出回路を含み、制御装置は、動作状態検出回路によりソースが動作していないことが検出された場合にミュート回路をミュート状態に設定してもよい。
この場合、ソースが動作していないことが検出された場合にミュート回路がミュート状態に設定される。それにより、ソースの電源オフ時または信号の未入力時の音声ノイズを消去することができる。
動作状態検出回路は、ソースから送信されるデジタル信号のレベルに基づいてソースの動作状態を検出するレベル検出回路を含み、制御装置は、レベル検出回路により検出されるデジタル信号のレベルが所定値以下の場合にミュート回路をミュート状態に設定してもよい。
この場合、デジタル信号のレベルが所定値以下の場合にミュート回路がミュート状態に設定される。それにより、ソースの電源オフ時または信号の未入力時の音声ノイズを消去することができる。
検出装置は、受信部により受信されたデジタル信号のエラー率をインターフェイス状態として検出するエラー検出回路を含み、制御装置は、エラー検出回路により検出されたエラー率が所定値を超える場合にミュート回路をミュート状態に設定してもよい。
この場合、エラー率が所定値を超える場合にミュート回路がミュート状態に設定される。それにより、ソースの電源オフ時、ケーブルの接続不良時または伝送系の不良時の音声ノイズを消去することができる。
受信部により受信されるデジタル信号は制御信号を含み、制御信号に基づいて音声クロック信号を発生する音声クロック発生回路をさらに備え、検出装置は、音声クロック発生回路のロック状態をインターフェイス状態として検出するロック検出回路を含み、制御装置は、ロック検出回路により音声クロック発生回路の非ロック状態が検出された場合にミュート回路をミュート状態に設定してもよい。
この場合、音声クロック発生回路の非ロック状態が検出された場合にミュート回路がミュート状態に設定される。それにより、ソースの電源オフ時、デジタル信号のフォーマットの変化時、ケーブルの接続不良時、信号の未入力時または伝送系の不良時の音声ノイズを消去することができる。
受信部により受信されるデジタル信号は制御信号を含み、検出装置は、制御信号に基づいてデジタル信号のフォーマットの変化を検出する変化検出回路を含み、制御装置は、変化検出回路によりフォーマットの変化が検出された場合にミュート回路をミュート状態に設定してもよい。
この場合、デジタル信号のフォーマットの変化が検出された場合にミュート回路がミュート状態に設定される。それにより、デジタル信号のフォーマットの変化時の音声ノイズを消去することができる。
受信部により受信されるデジタル信号は映像信号および同期信号を含み、検出装置は、同期信号に基づいて映像信号のフォーマットをインターフェイス状態として検出するフォーマット検出回路を含み、制御装置は、フォーマット検出回路により映像信号のフォーマットの変化が検出された場合にミュート回路をミュート状態に設定してもよい。
この場合、映像信号のフォーマットの変化が検出された場合にミュート回路がミュート状態に設定される。それにより、デジタル信号のフォーマットの変化時の音声ノイズを消去することができる。
受信部により受信されるデジタル信号は同期信号を含み、受信部により受信されるデジタル信号から同期信号を分離する同期分離回路をさらに備え、検出装置は、同期分離回路により分離された同期信号が安定しているか否かをインターフェイス状態として検出する同期検出回路を含み、制御装置は、同期検出回路により同期信号が不安定状態にあることが検出された場合にミュート回路をミュート状態に設定してもよい。
この場合、デジタル信号から分離された同期信号が不安定状態にある場合にミュート回路がミュート状態に設定される。それにより、ソースの電源オフ時、デジタル信号のフォーマットの変化時、ケーブルの接続不良時、信号の未入力時または伝送系の不良時の音声ノイズを消去することができる。
検出装置は、インターフェイス状態として複数の状態を検出する複数の状態検出回路を含み、制御装置は、複数の状態検出回路により検出された複数の状態のうち少なくとも１つが所定の不良状態である場合にミュート回路をミュート状態に設定してもよい。
複数の状態検出回路により検出された複数の状態のうち少なくとも１つが所定の不良状態である場合にミュート回路がミュート状態に設定される。それにより、種々の不良状態の発生時に音声ノイズを消去することができる。
受信部により受信されるデジタル信号は映像信号および制御信号を含み、受信部により受信される映像信号にオンスクリーン表示のための信号を合成するオンスクリーン表示処理回路をさらに備え、制御装置は、検出装置の検出結果に基づくメッセージがオンスクリーン表示されるようにオンスクリーン表示処理回路を制御してもよい。
この場合、検出装置の検出結果に基づくメッセージがオンスクリーン表示される。それにより、ユーザは、インターフェイス状態が不良状態であることを容易に認識することができる。
受信部は、ソースから送信されるクロック信号をさらに受信し、制御装置は、ソースから供給される電源電圧のレベルが所定のしきい値以下でありかつクロック信号の入力が検出されずかつデジタル信号の入力が検出されない場合に、信号の未入力を示すメッセージがオンスクリーン表示されるようにオンスクリーン表示処理回路を制御してもよい。
この場合、信号の未入力を示すメッセージがオンスクリーン表示される。それにより、ユーザは、信号の未入力状態であることを容易に認識することができる。
受信部は、ソースから送信されるクロック信号をさらに受信し、制御装置は、
デジタル信号から抽出される同期信号が安定状態にありかつクロック信号から生成される映像クロック信号が安定状態にあり、かつ、デジタル信号のエラー率が所定値を超える場合、制御信号に基づいて発生される音声クロック信号が不安定状態にある場合、または制御信号が一定時間内に変化している場合に、著作権保護技術の認証にエラーが生じたことを示すメッセージがオンスクリーン表示されるようにオンスクリーン表示処理回路を制御してもよい。
この場合、著作権保護技術の認証にエラーが生じたことを示すメッセージがオンスクリーン表示される。それにより、ユーザは、著作権保護技術の認証にエラーが生じたことを容易に認識することができる。
受信部は、ソースから送信されるクロック信号をさらに受信し、制御装置は、デジタル信号から抽出される同期信号が不安定状態にありかつクロック信号から生成される映像クロック信号が不安定状態にあり、かつ、デジタル信号のエラー率が所定値を超える場合、制御信号に基づいて発生される音声クロック信号が不安定状態にある場合、または制御信号が一定時間内で変化している場合に、伝送系のエラーが生じたことを示すメッセージがオンスクリーン表示されるようにオンスクリーン表示処理回路を制御してもよい。
この場合、伝送系のエラーが生じたことを示すメッセージがオンスクリーン表示される。それにより、ユーザは、伝送系のエラーが生じたことを容易に認識することができる。
【図面の簡単な説明】  図１は、本発明の一実施の形態に係る高速デジタル映像音声インターフェイス受信装置の構成を示すブロック図、
図２は、図１のデジタルインターフェイス受信装置の動作の一例を示す図、
図３（ａ）は、エラー発生時のデジタルインターフェイス受信装置における信号の状態を示す図、
図３（ｂ）は、オンスクリーン表示の第１の例を示す図、
図４は（ａ）は、エラー発生時のデジタルインターフェイス受信装置における信号の状態を示す図、
図４は（ｂ）は、オンスクリーン表示の第２の例を示す図、
図５（ａ）は、エラー発生時のデジタルインターフェイス受信装置における信号の状態を示す図、
図５（ｂ）は、オンスクリーン表示の第３の例を示す図、
図６は、ＤＶＩ規格に従う従来の信号伝送システムの構成を示す図である。
【発明を実施するための最良の形態】  図１は本発明の一実施の形態に係る高速デジタル映像音声インターフェイス受信装置の構成を示すブロック図である。
図１において、高速デジタル映像音声インターフェイス受信装置（以下、デジタルインターフェイス受信装置と略記する）は、複数のＴＭＤＳレベル検出回路１ａ，１ｂ，１ｃ，１ｄ、複数の差動バッファ２ａ，２ｂ，２ｃ，２ｄ、逓倍回路３、ＴＭＤＳ／ＨＤＣＰ（Ｈｉ−Ｂａｎｄｗｉｄｔｈ  Ｄｉｇｉｔａｌ  Ｃｏｎｔｅｎｔ  Ｐｒｏｔｅｃｔｉｏｎ）復号部４、映像／同期／音声・制御信号分離回路（以下、分離回路と略記する）５、音声クロック発生回路６、エラー訂正検出回路７、音声／制御分離回路（以下、分離回路と略記する）８、音声ＤＡＣ（デジタルアナログ変換器）９および音声ミュート回路１０を備える。このデジタルインターフェイス受信装置は、電圧検出回路１１、クロック検出回路１２、ＡＮＤ回路１３、ロック検出回路１４、音声ＰＬＬ（位相同期ループ）ロック検出回路１５、制御信号変化検出回路１６、同期検出回路１７、音声制御装置１８およびＯＳＤ（オンスクリーン表示）処理回路２０を備える。
ＯＳＤ処理回路２０には、ＣＲＴ（陰極線管）、液晶表示装置、プラズマディスプレイ装置等の表示装置３０が接続される。また、音声ミュート回路１０には、スピーカ４０が接続される。
このデジタルインターフェイス受信装置は、テレビジョン受像機等の映像表示装置内に設けられる。
デジタルインターフェイス受信装置には、ソース機器からＨＭＤＩ規格、ＤＶＩ規格等の高速デジタルインターフェイス規格に準拠したデジタル信号が与えられる。
ここで、ソース機器は、例えば、ＤＶＤ（デジタルバーサタイルディスク）再生機器、ＳＴＢ（セットトップボックス）、パーソナルコンピュータ等である。
ソース機器は、ＬＶＤＳ（Ｌｏｗ  Ｖｏｌｔａｇｅ  Ｄｉｆｆｅｒｅｎｔｉａｌ  Ｓｉｇｎａｌｉｎｇ）規格、ＴＭＤＳ規格等の出力バッファを有する。本実施の形態では、ソース機器はＴＭＤＳ規格の出力バッファを有する。
また、本実施の形態では、デジタルインターフェイス受信装置がＨＤＭＩ規格に従うＨＤＭＩインタフェイスケーブルによりソース機器に接続されるものとする。ＨＤＭＩ規格によれば、映像信号を送信するともに、映像信号のブランキング期間（垂直ブランキング期間および水平ブランキング期間）に補足データを送信することができる。補足データには、音声信号およびＩｎｆｏＦｒａｍｅ（情報フレーム）と呼ばれるデータパケットが含まれる。
ＴＭＤＳレベル検出回路１ａ，１ｂ，１ｃ，１ｄには、ソース機器からケーブルを通して伝送されるＴＭＤＳ方式のデータ（デジタル信号）ＣＨ０，ＣＨ１，ＣＨ２およびクロック信号ＣＬＫがそれぞれ与えられる。また、差動バッファ２ａ，２ｂ，２ｃ，２ｄにも、データＣＨ０，ＣＨ１，ＣＨ２およびクロック信号ＣＬＫがそれぞれ与えられる。データＣＨ０，ＣＨ１，ＣＨ２には、映像信号、同期信号、音声信号および制御信号が多重化されている。
ＴＭＤＳレベル検出回路１ａ，１ｂ，１ｃ，１ｄは、データＣＨ０，ＣＨ１，ＣＨ２およびクロック信号ＣＬＫのレベルが所定値以上であるか否かを判別し、判別結果を示す出力信号をＡＮＤ回路１３に与える。ＴＭＤＳレベル検出回路１ａ，１ｂ，１ｃ，１ｄの出力信号は、それぞれデータＣＨ０，ＣＨ１，ＣＨ２およびクロック信号ＣＬＫのレベルが所定値以上である場合にＨレベル（ハイレベル）となり、それぞれデータＣＨ０，ＣＨ１，ＣＨ２およびクロック信号ＣＬＫのレベルのいずれか１つでも所定値よりも低い場合にＬレベル（ローレベル）となる。
差動バッファ２ａ，２ｂ，２ｃは、データＣＨ０，ＣＨ１，ＣＨ２を復号部４に与える。差動バッファ２ｄは、クロック信号ＣＬＫを逓倍回路３およびクロック検出回路１２に与える。
逓倍回路３は、クロック信号ＣＬＫからＴＭＤＳ復号のための高速クロック信号ＣＬＫ１を発生し、高速クロック信号ＣＬＫ１を復号部４およびロック検出回路１４に与える。
復号部４は、高速クロック信号ＣＬＫ１を用いてＴＭＤＳ方式のデータＣＨ０，ＣＨ１，ＣＨ２を復号するとともに、デジタルコンテンツプロテクションであるＨＤＣＰを復号する。
分離回路５は、復号部４により復号されたデータから映像信号ＶＤ、映像同期信号ＳＹおよび音声・制御信号ＡＣを分離する。映像信号ＶＤは、赤色コンポーネント信号Ｒ、緑色コンポーネント信号Ｇおよび青色コンポーネント信号Ｂからなる。あるいは、映像信号ＶＤは、輝度信号Ｙおよび色差信号Ｐｂ，Ｐｒからなってもよい。映像同期信号ＳＹは、水平同期信号Ｈ、垂直同期信号Ｖおよびデータイネーブル信号ＤＥからなる。
ＯＳＤ処理回路２０は、後述する音声制御装置１８から出力されるＯＳＤ制御信号ＯＳに基づいて映像信号ＶＤにオンスクリーン表示のためのグラフィック信号を合成し、合成された映像信号ＶＤ１を出力するとともに映像同期信号ＳＹを出力する。
エラー訂正検出回路７は、分離回路５から出力される音声・制御信号ＡＣのエラーを検出および訂正し、訂正された音声・制御信号ＡＣを分離回路８に出力するとともに、エラー率の検出結果を示す出力信号ｅを音声制御装置１８に与える。出力信号ｅは、エラー率が所定値以下の場合にＨレベルになり、エラー率が所定値を超える場合にＬレベルとなる。
分離回路８は、エラー訂正検出回路７から出力される音声・制御信号ＡＣをデジタル音声信号ＡＳ０と制御信号ＣＮとに分離する。この制御信号ＣＮは、ソース機器から映像ブランキング期間に伝送される。
音声クロック発生回路６は、分周比／逓倍比情報を用いて音声クロック信号を発生する。ここで、分周比／逓倍比情報は、映像クロック信号から音声クロック信号を作成するためにソース機器から映像ブランキング期間に制御信号の一部として伝送される。
音声ＤＡＣ９は、分離回路８から出力されるデジタル音声信号ＡＳ０をアナログ音声信号ＡＳに変換する。音声ミュート回路１０は、後述する音声制御装置１８から出力される音声ミュート信号ｉに基づいて音声ＤＡＣ９から出力されるアナログ音声信号ＡＳのミュート動作を行う。
電圧検出回路１１は、ソース機器から供給される５Ｖの電源電圧を検出し、検出結果を示す出力信号ａを音声制御装置１８に与える。出力信号ａは、電源電圧のレベルが所定のしきい値を超える場合にＨレベルとなり、電源電圧のレベルがしきい値以下の場合にはＬレベルとなる。
クロック検出回路１２は、ソース機器から伝送されるクロック信号ＣＬＫの入力の有無を判別し、判別結果を示す出力信号ｂを音声制御装置１８に与える。出力信号ｂは、クロック信号ＣＬＫの入力がある場合にＨレベルとなり、クロック信号ＣＬＫの入力がない場合にＬレベルとなる。
ＡＮＤ回路１３は、ＴＭＤＳレベル検出回路１ａ，１ｂ，１ｃ，１ｄの出力信号の論理積を演算し、演算結果を示す出力信号ｃを音声制御装置１８に与える。出力信号ｃは、データＣＨ０，ＣＨ１，ＣＨ２およびクロック信号ＣＬＫのすべてのレベルが所定値を超える場合にＨレベルとなり、その他の場合にＬレベルとなる。
ロック検出回路１４は、逓倍回路３がロック状態にあるか否かを判別し、判別結果を示す出力信号ｄを音声制御装置１８に与える。出力信号ｄは、逓倍回路３がロック状態にある場合にＨレベルとなり、逓倍回路３が非ロック状態にある場合にＬレベルとなる。
音声ＰＬＬロック検出回路１５は、音声クロック発生回路６がロック状態にあるか否かを判別し、判別結果を示す出力信号ｆを音声制御装置１８に与える。出力信号ｆは、音声クロック発生回路６がロック状態にある場合にＨレベルになり、音声クロック発生回路６が非ロック状態にある場合にＬレベルとなる。
制御信号変化検出回路１６は、分離回路８から出力される制御信号ＣＮの変化を検出し、制御信号ＣＮの変化の検出結果を示す出力信号ｇを音声制御装置１８に与える。出力信号ｇは、制御信号ＣＮの変化が検出されない場合にＨレベルとなり、制御信号ＣＮの変化が検出された場合にＬレベルとなる。
同期検出回路１７は、映像同期信号ＳＹが安定して出力されているか否かを判別し、判別結果を示す出力信号ｆを音声制御装置１８に与える。出力信号ｆは、映像同期信号ＳＹが安定して出力されている場合にＨレベルとなり、映像同期信号ＳＹが不安定状態にある場合にＬレベルとなる。
音声制御装置１８は、電圧検出回路１１の出力信号ａ、クロック検出回路１２の出力信号ｂ、ＡＮＤ回路１３の出力信号ｃ、ロック検出回路１４の出力信号ｄ、エラー訂正検出回路７の出力信号ｅ、音声ＰＬＬロック検出回路１５の出力信号ｆ、制御信号変化検出回路１６の出力信号ｇおよび同期検出回路１７の出力信号ｈに基づいて音声ミュート信号ｉを生成し、その音声ミュート信号ｉを音声ミュート回路１０に与えるとともに、ＯＳＤ制御信号ＯＳをＯＳＤ処理回路２０に与える。
この場合、音声制御装置１８は、出力信号ａ〜ｈのうち少なくとも１つがＬレベルになると、音声ミュート信号ｉをミュート制御状態（Ｌレベル）にする。それにより、音声ミュート回路１０がミュート状態になる。また、音声制御装置１８は、出力信号ａ〜ｈのすべてがＨレベルになると、音声ミュート信号ｉをミュート解除状態（Ｈレベル）にする。それにより、音声ミュート回路１０のミュート状態が解除される。
音声制御装置１８は、マイクロコンピュータ等のプロセッサにより構成されてもよく、回路構成組替え可能なリコンフィギャブルロジックにより構成されてもよく、専用回路により構成されてもよく、あるいはこれらのうち２つまたは３つの組み合わせにより構成されてもよい。
図２は図１のデジタルインターフェイス受信装置の動作の一例を示す図である。
図２において、電源がオフのときには、音声制御装置１８から出力される音声ミュート信号ｉはミュート制御状態（Ｌレベル）となっている。それにより、音声ミュート回路１０がミュート状態となっている。
ソース機器からの映像信号および音声信号の出力が安定している場合に、タイミングＡでデジタルインターフェイス受信装置の電源がオンになると、電圧検出回路１１の出力信号ａがＨレベルになる。その後、クロック検出回路１２の出力信号ｂ、ＡＮＤ回路１３の出力信号ｃおよびロック検出回路１４の出力信号ｄがＨレベルになり、タイミングＢでエラー訂正検出回路７の出力信号ｅ、音声ＰＬＬロック検出回路１５の出力信号ｆ、制御信号変化検出回路１６の出力信号ｇおよび同期検出回路１７の出力信号ｈがＨレベルになる。
すべての出力信号ａ〜ｈがＨレベルになってから一定時間α経過後に音声制御装置１８から出力される音声ミュート信号ｉがＨレベルになる。それにより、タイミングＣで音声ミュート回路１０のミュート状態が解除される。一定時間αは、音声信号の遅延の影響を受けない程度の時間でよく、この一定時間αにより、ミュートの制御を確実に行うものである。
その状態でタイミングＤで映像信号の映像フォーマットが切り替わると、ロック検出回路１４の出力信号ｄ、音声ＰＬＬロック検出回路１５の出力信号ｆ、制御信号変化検出回路１６の出力信号ｇおよび同期検出回路１７の出力信号ｈがＬレベルになる。
音声制御装置１８は、出力信号ａ〜ｈのうちいずれか１つがＬレベルになると、音声ミュート信号ｉをＬレベルにする。それにより、音声ミュート回路１０がミュート状態になる。映像フォーマットの切り替えが終了すると、出力信号ｄ，ｆ，ｇ，ｈがＨレベルに戻る。それにより、タイミングＥですべての出力信号ａ〜ｈがＨレベルになる。
音声制御装置１８から出力される音声ミュート信号ｉは、出力信号ａ〜ｈのすべてがＨレベルになってから一定時間α経過後にＨレベルになる。それにより、タイミングＦで音声ミュート回路１０のミュート状態が解除される。
次に、音声信号の音声フォーマットが切り替わると、タイミングＧで音声ＰＬＬロック検出回路１５の出力信号ｆおよび制御信号変化検出回路１６の出力信号ｇがＬレベルになる。
音声制御装置１８は、出力信号ａ〜ｈのいずれか１つがＬレベルになると、音声ミュート信号ｉをＬレベルにする。それにより、音声ミュート回路１０がミュート状態になる。音声フォーマットの切り替えが終了すると、出力信号ｆ，ｇがＨレベルに戻る。それにより、タイミングＨで出力信号ａ〜ｈのすべてがＨレベルになる。
音声制御装置１８から出力される音声ミュート信号ｉは、出力信号ａ〜ｈのすべてがＨレベルになってから一定時間α経過後にＨレベルになる。それにより、タイミングＩで音声ミュート回路１０のミュート状態が解除される。
次に、タイミングＪでケーブルが抜けた場合に、出力信号ａ，ｂ，ｃ，ｄ，ｅ，ｆ，ｇ，ｈがＬレベルになる。音声制御装置１８は、出力信号ａ〜ｈのいずれか１つがＬレベルになると、音声ミュート信号ｉをＬレベルにする。それにより、音声ミュート回路１０がミュート状態となる。この場合、出力信号ａ〜ｉのうち出力信号ｇのみが一定時間経過後にＨレベルに戻るが、それ以外の出力信号ａ，ｂ，ｃ，ｄ，ｅ，ｆ，ｈはケーブルが挿入されるまでＬレベルを維持する。その結果、音声ミュート回路１０はミュート状態を継続する。
次に、タイミングＫでケーブルが挿し込まれた場合には、出力信号ａ，ｂ，ｃ，ｄ，ｅ，ｆ，ｈがＨレベルに戻る。それにより、タイミングＬで出力信号ａ〜ｈのすべてがＨレベルになる。音声制御装置１８から出力される音声ミュート信号ｉは、出力信号ａ〜ｈのすべてがＨレベルになってから一定時間α経過後にＨレベルになる。それにより、タイミングＭで音声ミュート回路１０のミュート状態が解除される。
図３はエラー発生時のデジタルインターフェイス受信装置における信号の状態およびオンスクリーン表示の第１の例を示す図である。
図３（ａ）の例は、ケーブル未接続またはソース機器の電源オフによる伝送エラーが発生した場合の出力信号ａ〜ｈおよび音声ミュート信号ｉの状態を示している。この場合、データＣＨ０，ＣＨ１，ＣＨ２およびクロック信号ＣＬＫが未入力状態となる。
出力信号ａ，ｂ，ｃが所定時間以上Ｌレベルで安定している場合には、図１の音声制御装置１８はデータＣＨ０，ＣＨ１，ＣＨ１およびクロック信号ＣＬＫの少なくとも１つが未入力状態であると判定し、表示装置３０の画面に図３（ｂ）のようなオンスクリーン表示を行うようにＯＳＤ制御信号ＯＳによりＯＳＤ処理回路２０を制御する。
図３（ｂ）の例では、表示装置３０の画面に伝送エラーが発生している旨のメッセージおよびケーブル接続またはソース機器の電源を確認すべき旨のメッセージが表示される。
図４はエラー発生時のデジタルインターフェイス受信装置における信号の状態およびオンスクリーン表示の第２の例を示す図である。
図４（ａ）の例は、ケーブルの接続不良による伝送エラーが発生した場合の出力信号ａ〜ｈおよび音声ミュート信号ｉの状態を示している。
出力信号ａ，ｂ，ｃが所定時間以上Ｈレベルで安定しており、かつ出力信号ｄ，ｅ，ｆ，ｇ，ｈが一定時間内においてＬレベルおよびＨレベルに繰り返し変化するかまたはＬレベルの状態である場合には、図１の音声制御装置１８は伝送エラーが発生していると判定し、表示装置３０の画面に図４（ｂ）のオンスクリーン表示を行うようにＯＳＤ制御信号ＯＳによりＯＳＤ処理回路２０を制御する。
図４（ｂ）の例では、表示装置３０の画面に伝送エラーが発生している旨のメッセージおよびケーブル接続を確認すべき旨のメッセージが表示される。
図５はエラー発生時のデジタルインターフェイス受信装置における信号の状態およびオンスクリーン表示の第３の例を示す図である。
図５（ａ）の例は、ＨＤＣＰ認証エラーが発生した場合の出力信号ａ〜ｈのおよび音声ミュート信号ｉの状態を示している。
出力信号ａ，ｂ，ｃ，ｄ，ｈがＨレベルで安定しており、かつ出力信号ｅ，ｆ，ｇが一定時間内においてＬレベルおよびＨレベルに繰り返し変化するかまたはＬレベルの状態にある場合には、図１の音声制御装置１８は著作権保護のためのＨＤＣＰの認証エラーが発生していると判定し、表示装置３０の画面に図５（ｂ）のようなオンスクリーン表示を行うようにＯＳＤ制御信号ＯＳによりＯＳＤ処理回路２０を制御する。
図５（ｂ）の例では、表示装置３０の画面に認証エラーが発生している旨のメッセージおよび所定の者に連絡すべき旨のメッセージが表示される。
以上のように、本実施の形態に係るデジタルインターフェイス受信装置においては、映像信号、音声信号および制御信号を伝送する高速デジタルインターフェイス規格に準拠したデジタル信号において、各種状態変化により生じる音声ノイズを抑制することが可能となる。それにより、音声ノイズによりユーザに不快感を与えることが防止されるとともに、スピーカ４０等の音声出力装置にダメージを与えることが回避される。
また、エラー状態をオンスクリーン表示することにより、ユーザに音声ノイズの発生原因を認識させることが可能となる。
本実施の形態では、差動バッファ２ａ〜２ｄが受信部に相当し、ＴＭＤＳレベル検出回路１ａ〜１ｄ、エラー訂正検出回路７、電圧検出回路１１、クロック検出回路１２、ＡＮＤ回路１３、ロック検出回路１４、音声ＰＬＬロック検出回路１５、制御信号変化検出回路１６および同期検出回路１７が検出装置または複数の状態検出回路に相当する。また、音声ミュート回路１０がミュート回路に相当し、音声制御装置１８が制御装置に相当する。
さらに、電圧検出回路１１が電圧検出回路に相当し、クロック検出回路１２がクロック検出回路に相当し、逓倍回路３が逓倍回路に相当し、ロック検出回路１４がロック検出回路に相当し、ＴＭＤＳレベル検出回路１ａ〜１ｄおよびＡＮＤ回路１３がデジタル信号検出回路、動作状態検出回路またはレベル検出回路に相当し、エラー訂正検出回路７がエラー検出回路に相当し、音声クロック発生回路６が音声クロック発生回路に相当し、音声ＰＬＬロック検出回路１５がロック検出回路に相当し、制御信号変化検出回路１６が変化検出回路またはフォーマット検出回路に相当し、分離回路５が同期信号分離回路に相当し、同期検出回路１７が同期検出回路に相当し、ＯＳＤ処理回路２０がオンスクリーン表示処理回路に相当する。
なお、本実施の形態では、デジタルインターフェイス受信装置がＨＤＭＩ規格に準拠したデジタル信号を受信するよう構成されているが、ソース機器からＤＶＩ規格等の他の高速デジタルインターフェイス規格に準拠したデジタル信号を受信するように、デジタルインターフェイス受信装置を構成してもよい。
【図１】
2004107750.tif 000003
【図２】
2004107750.tif 000004
【図３】
2004107750.tif 000005
【図４】
2004107750.tif 000006
【図５】
2004107750.tif 000007
【図６】
2004107750.tif 000008
【手続補正書】
【提出日】平成17年5月13日(2005.5.13)
【手続補正１】
【補正対象書類名】明細書
【補正対象項目名】全文
【補正方法】変更
【補正の内容】
【書類名】      明細書
【技術分野】
【０００１】
本発明は、音声信号を含むデジタル信号を伝送することができる伝送規格に適合するデジタルインターフェイス受信装置に関する。
【背景技術】
【０００２】
近年、ＨＤＭＩ（High Definition Multimedia Interface）規格、ＤＶＩ（Digital Visual Interface）規格などの高速デジタルインターフェイス規格に準拠した種々の電子機器の開発が進められている。特に、ＨＤＭＩ規格では、映像のブランキング期間における音声信号および制御信号の伝送が規定されている。これらの高速デジタルインターフェイス規格では、ＴＭＤＳ（Transmission Minimized Differential Signaling）というシリアル伝送方式が採用されている。
【０００３】
図６はＤＶＩ規格に従う従来の信号伝送システムの構成を示す図である（DDWG,“Digital Visual Interface,”Revision 1.0, April 2,1999，インターネット＜URL： HYPERLINK "http://www.ddwg.org/" http://www.ddwg.org/＞）。
【０００４】
図６の信号伝送システムにおいて、送信側にＴＭＤＳエンコーダ／シリアライザ２６０１，２６０２，２６０３が設けられ、受信側にＴＭＤＳデコーダ／リカバリ２６０４，２６０５，２６０６が設けられる。
【０００５】
送信側では、８ビットの赤色コンポーネント信号Ｒ、データイネーブル信号ＤＥおよび２ビットの制御信号ＣＴＬ２，ＣＴＬ３がＴＭＤＳエンコーダ／シリアライザ２６０１に入力される。また、８ビットの緑色コンポーネント信号Ｇ、データイネーブル信号ＤＥおよび２ビットの制御信号ＣＴＬ０，ＣＴＬ１がＴＭＤＳエンコーダ／シリアライザ２６０２に入力される。さらに、８ビットの青色コンポーネント信号Ｂ、データイネーブル信号ＤＥおよび２ビットの同期信号ＨＳＹＮＣ，ＶＳＹＮＣがＴＭＤＳエンコーダ／シリアライザ２６０３に入力される。
【０００６】
ＴＭＤＳエンコーダ／シリアライザ２６０１は、８ビットの赤色コンポーネント信号ＲをＴＭＤＳエンコードして１０ビットに変換し、さらにシリアル信号に変換する。８ビットから１０ビットへの変換の目的は、データの変化点を減少させることにより信号を高速伝送に適した形式にするためである。
【０００７】
また、ＴＭＤＳエンコーダ／シリアライザ２６０１は、２ビットの制御信号ＣＴＬ２，ＣＴＬ３をＴＭＤＳエンコードして１０ビットに変換し、さらにシリアル信号に変換する。さらに、ＴＭＤＳエンコーダ／シリアライザ２６０１は、データイネーブル信号ＤＥをエンコードし、シリアル信号に変換する。
【０００８】
このようにして、ＴＭＤＳエンコーダ／シリアライザ２６０１は、赤色コンポーネント信号Ｒ、データイネーブル信号ＤＥおよび制御信号ＣＴＬ２，ＣＴＬ３が時分割多重化されたシリアル信号をチャンネルｃｈ２の伝送路に送出する。
【０００９】
同様に、ＴＭＤＳエンコーダ／シリアライザ２６０２は、緑色コンポーネント信号Ｇ、データイネーブル信号ＤＥおよび制御信号ＣＴＬ０，ＣＴＬ１が時分割多重化されたシリアル信号をチャンネルｃｈ１の伝送路に送出する。また、ＴＭＤＳエンコーダ／シリアライザ２６０３は、青色コンポーネント信号Ｂ、データイネーブル信号ＤＥおよび同期信号ＨＳＹＮＣ，ＶＳＹＮＣが時分割多重化されたシリアル信号をチャンネルｃｈ０の伝送路に送出する。
【００１０】
受信側において、ＴＭＤＳデコーダ／リカバリ２６０４は、チャンネルｃｈ２の伝送路から受信したシリアル信号をＴＭＤＳデコードし、８ビットの赤色コンポーネント信号Ｒ、データイネーブル信号ＤＥおよび２ビットの制御信号ＣＴＬ２，ＣＴＬ３に復元する。ＴＭＤＳデコーダ／リカバリ２６０５は、チャンネルｃｈ１の伝送路から受信したシリアル信号をＴＭＤＳデコードし、８ビットの緑色コンポーネント信号Ｇ、データイネーブル信号ＤＥおよび２ビットの制御信号ＣＴＬ０，ＣＴＬ１を復元する。ＴＭＤＳデコーダ／リカバリ２６０６は、チャンネルｃｈ０の伝送路から受信したシリアル信号をＴＭＤＳデコードし、８ビットの青色コンポーネント信号Ｂ、データイネーブル信号ＤＥおよび２ビットの同期信号ＨＳＹＮＣ，ＶＳＹＮＣを復元する。
【００１１】
データイネーブル信号ＤＥは、赤色コンポーネント信号Ｒ、緑色コンポーネント信号Ｇおよび青色コンポーネント信号Ｂが存在する期間を示し、アクティブ状態でハイレベル（Ｈレベル）となる。
【００１２】
例えば、データイネーブル信号ＤＥがローレベル（Ｌレベル）となる期間は、映像の水平同期信号の期間または垂直同期信号の期間に相当する。また、上記のように、４つの制御信号ＣＴＬ０，ＣＴＬ１，ＣＴＬ２，ＣＴＬ３が用意されている。しかしながら、現在のＤＶＩ規格では、制御信号ＣＴＬ０，ＣＴＬ１，ＣＴＬ２，ＣＴＬ３は未使用状態である。具体的には、制御信号ＣＴＬ０，ＣＴＬ１，ＣＴＬ２，ＣＴＬ３のレベルは常時０となっている。
【００１３】
一方、ＨＤＭＩ規格は、ＤＶＩ規格で規定されたデジタル映像信号に追加してデジタル音声信号を伝送する規格である。デジタル音声信号を伝送した場合、ケーブルの挿抜、伝送エラー、電源オン／オフ、映像または音声のフォーマットの切り替え等により音声ノイズが発生し、ユーザに不快感を与え、あるいはスピーカにダメージを与えることもある。
【発明の開示】
本発明の目的は、音声ノイズによりユーザに不快感を与えることが防止されたデジタルインターフェイス受信装置を提供することである。
【００１４】
本発明の一局面に従うデジタルインターフェイス受信装置は、ソースから送信される音声信号を含むデジタル信号を受信するデジタルインターフェイス受信装置であって、ソースから送信されるデジタル信号を受信する受信部と、ソースとのインターフェイス状態を検出する検出装置と、デジタル信号から抽出された音声信号をミュートするミュート回路と、検出装置の検出結果に基づいてミュート回路をミュート状態またはミュート解除状態に制御する制御装置とを備えたものである。
【００１５】
そのデジタルインターフェイス受信装置においては、ソースから送信される音声信号を含むデジタル信号が受信部により受信される。また、検出装置によりソースとのインターフェイス状態が検出される。制御装置により検出装置の検出結果に基づいてミュート回路がミュート状態およびミュート解除状態に制御される。
【００１６】
この場合、インターフェイス状態に基づいてミュート回路により音声信号がミュートされる。それにより、音声ノイズが消去され、音声ノイズによりユーザに不快感を与えることが防止される。
【００１７】
制御装置は、検出装置により検出されたインターフェイス状態が所定の不良状態である場合にミュート回路をミュート状態に設定し、検出装置により検出されたインターフェイス状態が所定の正常状態になった時点から所定時間経過後にミュート回路をミュート解除状態に設定してもよい。
【００１８】
この場合、インターフェイス状態が所定の不良状態である場合にミュート回路がミュート状態に設定され、インターフェイス状態が所定の正常状態になった時点から所定時間経過後にミュート回路がミュート解除状態に設定される。それにより、音声ノイズが確実に消去される。
【００１９】
検出装置は、ソースから供給される電源電圧のレベルをインターフェイス状態として検出する電圧検出回路を含み、制御装置は、電圧検出回路により検出される電源電圧のレベルが所定のしきい値以下である場合にミュート回路をミュート状態に設定してもよい。
【００２０】
この場合、ソースから供給される電源電圧のレベルが所定のしきい値以下である場合にミュート回路がミュート状態に設定される。それにより、ソースの電源オフ時またはケーブルの接続不良時の音声ノイズを消去することができる。
【００２１】
受信部はソースから送信されるクロック信号をさらに受信し、検出装置は、ソースから送信されるクロック信号の入力の有無をインターフェイス状態として検出するクロック検出回路を含み、制御装置は、クロック検出回路によりクロック信号の入力が検出されない場合にミュート回路をミュート状態に設定してもよい。
【００２２】
この場合、ソースから送信されるクロック信号の入力が検出されない場合にミュート回路がミュート状態に設定される。それにより、ソースの電源オフ時、ケーブルの接続不良時、信号の未入力時または伝送系の不良時の音声ノイズを消去することができる。
【００２３】
受信部はソースから送信されるクロック信号をさらに受信し、受信部により受信されたクロック信号を逓倍する逓倍回路をさらに備え、検出装置は、逓倍回路のロック状態をインターフェイス状態として検出するロック検出回路を含み、制御装置は、ロック検出回路により逓倍回路の非ロック状態が検出された場合にミュート回路をミュート状態に設定してもよい。
【００２４】
この場合、逓倍回路の非ロック状態が検出された場合にミュート回路がミュート状態に設定される。それにより、ソースの電源オフ時、デジタル信号のフォーマットの変化時、ケーブルの接続不良時、信号の未入力時または伝送系の不良時の音声ノイズを消去することができる。
【００２５】
検出装置は、ソースから送信されるデジタル信号の入力の有無を検出するデジタル信号検出回路を含み、制御装置は、デジタル信号検出回路によりデジタル信号の入力が検出されない場合にミュート回路をミュート状態に設定してもよい。
【００２６】
この場合、デジタル信号の入力が検出されない場合にミュート回路がミュート状態に設定される。それにより、ソースの電源オフ時、ケーブルの接続不良時、信号の未入力時または伝送系の不良時の音声ノイズを消去することができる。
【００２７】
検出装置は、ソースの動作状態をインターフェイス状態として検出する動作状態検出回路を含み、制御装置は、動作状態検出回路によりソースが動作していないことが検出された場合にミュート回路をミュート状態に設定してもよい。
【００２８】
この場合、ソースが動作していないことが検出された場合にミュート回路がミュート状態に設定される。それにより、ソースの電源オフ時または信号の未入力時の音声ノイズを消去することができる。
【００２９】
動作状態検出回路は、ソースから送信されるデジタル信号のレベルに基づいてソースの動作状態を検出するレベル検出回路を含み、制御装置は、レベル検出回路により検出されるデジタル信号のレベルが所定値以下の場合にミュート回路をミュート状態に設定してもよい。
【００３０】
この場合、デジタル信号のレベルが所定値以下の場合にミュート回路がミュート状態に設定される。それにより、ソースの電源オフ時または信号の未入力時の音声ノイズを消去することができる。
【００３１】
検出装置は、受信部により受信されたデジタル信号のエラー率をインターフェイス状態として検出するエラー検出回路を含み、制御装置は、エラー検出回路により検出されたエラー率が所定値を超える場合にミュート回路をミュート状態に設定してもよい。
【００３２】
この場合、エラー率が所定値を超える場合にミュート回路がミュート状態に設定される。それにより、ソースの電源オフ時、ケーブルの接続不良時または伝送系の不良時の音声ノイズを消去することができる。
【００３３】
受信部により受信されるデジタル信号は制御信号を含み、制御信号に基づいて音声クロック信号を発生する音声クロック発生回路をさらに備え、検出装置は、音声クロック発生回路のロック状態をインターフェイス状態として検出するロック検出回路を含み、制御装置は、ロック検出回路により音声クロック発生回路の非ロック状態が検出された場合にミュート回路をミュート状態に設定してもよい。
【００３４】
この場合、音声クロック発生回路の非ロック状態が検出された場合にミュート回路がミュート状態に設定される。それにより、ソースの電源オフ時、デジタル信号のフォーマットの変化時、ケーブルの接続不良時、信号の未入力時または伝送系の不良時の音声ノイズを消去することができる。
【００３５】
受信部により受信されるデジタル信号は制御信号を含み、検出装置は、制御信号に基づいてデジタル信号のフォーマットの変化を検出する変化検出回路を含み、制御装置は、変化検出回路によりフォーマットの変化が検出された場合にミュート回路をミュート状態に設定してもよい。
【００３６】
この場合、デジタル信号のフォーマットの変化が検出された場合にミュート回路がミュート状態に設定される。それにより、デジタル信号のフォーマットの変化時の音声ノイズを消去することができる。
【００３７】
受信部により受信されるデジタル信号は映像信号および同期信号を含み、検出装置は、同期信号に基づいて映像信号のフォーマットをインターフェイス状態として検出するフォーマット検出回路を含み、制御装置は、フォーマット検出回路により映像信号のフォーマットの変化が検出された場合にミュート回路をミュート状態に設定してもよい。
【００３８】
この場合、映像信号のフォーマットの変化が検出された場合にミュート回路がミュート状態に設定される。それにより、デジタル信号のフォーマットの変化時の音声ノイズを消去することができる。
【００３９】
受信部により受信されるデジタル信号は同期信号を含み、受信部により受信されるデジタル信号から同期信号を分離する同期分離回路をさらに備え、検出装置は、同期分離回路により分離された同期信号が安定しているか否かをインターフェイス状態として検出する同期検出回路を含み、制御装置は、同期検出回路により同期信号が不安定状態にあることが検出された場合にミュート回路をミュート状態に設定してもよい。
【００４０】
この場合、デジタル信号から分離された同期信号が不安定状態にある場合にミュート回路がミュート状態に設定される。それにより、ソースの電源オフ時、デジタル信号のフォーマットの変化時、ケーブルの接続不良時、信号の未入力時または伝送系の不良時の音声ノイズを消去することができる。
【００４１】
検出装置は、インターフェイス状態として複数の状態を検出する複数の状態検出回路を含み、制御装置は、複数の状態検出回路により検出された複数の状態のうち少なくとも１つが所定の不良状態である場合にミュート回路をミュート状態に設定してもよい。
【００４２】
複数の状態検出回路により検出された複数の状態のうち少なくとも１つが所定の不良状態である場合にミュート回路がミュート状態に設定される。それにより、種々の不良状態の発生時に音声ノイズを消去することができる。
【００４３】
受信部により受信されるデジタル信号は映像信号および制御信号を含み、受信部により受信される映像信号にオンスクリーン表示のための信号を合成するオンスクリーン表示処理回路をさらに備え、制御装置は、検出装置の検出結果に基づくメッセージがオンスクリーン表示されるようにオンスクリーン表示処理回路を制御してもよい。
【００４４】
この場合、検出装置の検出結果に基づくメッセージがオンスクリーン表示される。それにより、ユーザは、インターフェイス状態が不良状態であることを容易に認識することができる。
【００４５】
受信部は、ソースから送信されるクロック信号をさらに受信し、制御装置は、ソースから供給される電源電圧のレベルが所定のしきい値以下でありかつクロック信号の入力が検出されずかつデジタル信号の入力が検出されない場合に、信号の未入力を示すメッセージがオンスクリーン表示されるようにオンスクリーン表示処理回路を制御してもよい。
【００４６】
この場合、信号の未入力を示すメッセージがオンスクリーン表示される。それにより、ユーザは、信号の未入力状態であることを容易に認識することができる。
【００４７】
受信部は、ソースから送信されるクロック信号をさらに受信し、制御装置は、デジタル信号から抽出される同期信号が安定状態にありかつクロック信号から生成される映像クロック信号が安定状態にあり、かつ、デジタル信号のエラー率が所定値を超える場合、制御信号に基づいて発生される音声クロック信号が不安定状態にある場合、または制御信号が一定時間内に変化している場合に、著作権保護技術の認証にエラーが生じたことを示すメッセージがオンスクリーン表示されるようにオンスクリーン表示処理回路を制御してもよい。
【００４８】
この場合、著作権保護技術の認証にエラーが生じたことを示すメッセージがオンスクリーン表示される。それにより、ユーザは、著作権保護技術の認証にエラーが生じたことを容易に認識することができる。
【００４９】
受信部は、ソースから送信されるクロック信号をさらに受信し、制御装置は、デジタル信号から抽出される同期信号が不安定状態にありかつクロック信号から生成される映像クロック信号が不安定状態にあり、かつ、デジタル信号のエラー率が所定値を超える場合、制御信号に基づいて発生される音声クロック信号が不安定状態にある場合、または制御信号が一定時間内で変化している場合に、伝送系のエラーが生じたことを示すメッセージがオンスクリーン表示されるようにオンスクリーン表示処理回路を制御してもよい。
【００５０】
この場合、伝送系のエラーが生じたことを示すメッセージがオンスクリーン表示される。それにより、ユーザは、伝送系のエラーが生じたことを容易に認識することができる。
【発明を実施するための最良の形態】
【００５１】
図１は本発明の一実施の形態に係る高速デジタル映像音声インターフェイス受信装置の構成を示すブロック図である。
【００５２】
図１において、高速デジタル映像音声インターフェイス受信装置（以下、デジタルインターフェイス受信装置と略記する）は、複数のＴＭＤＳレベル検出回路１ａ，１ｂ，１ｃ，１ｄ、複数の差動バッファ２ａ，２ｂ，２ｃ，２ｄ、逓倍回路３、ＴＭＤＳ／ＨＤＣＰ（Hi-Bandwidth Digital Content Protection）復号部４、映像／同期／音声・制御信号分離回路（以下、分離回路と略記する）５、音声クロック発生回路６、エラー訂正検出回路７、音声／制御分離回路（以下、分離回路と略記する）８、音声ＤＡＣ（デジタルアナログ変換器）９および音声ミュート回路１０を備える。このデジタルインターフェイス受信装置は、電圧検出回路１１、クロック検出回路１２、ＡＮＤ回路１３、ロック検出回路１４、音声ＰＬＬ（位相同期ループ）ロック検出回路１５、制御信号変化検出回路１６、同期検出回路１７、音声制御装置１８およびＯＳＤ（オンスクリーン表示）処理回路２０を備える。
【００５３】
ＯＳＤ処理回路２０には、ＣＲＴ（陰極線管）、液晶表示装置、プラズマディスプレイ装置等の表示装置３０が接続される。また、音声ミュート回路１０には、スピーカ４０が接続される。
【００５４】
このデジタルインターフェイス受信装置は、テレビジョン受像機等の映像表示装置内に設けられる。
【００５５】
デジタルインターフェイス受信装置には、ソース機器からＨＭＤＩ規格、ＤＶＩ規格等の高速デジタルインターフェイス規格に準拠したデジタル信号が与えられる。
【００５６】
ここで、ソース機器は、例えば、ＤＶＤ（デジタルバーサタイルディスク）再生機器、ＳＴＢ（セットトップボックス）、パーソナルコンピュータ等である。
【００５７】
ソース機器は、ＬＶＤＳ（Low Voltage Differential Signaling）規格、ＴＭＤＳ規格等の出力バッファを有する。本実施の形態では、ソース機器はＴＭＤＳ規格の出力バッファを有する。
【００５８】
また、本実施の形態では、デジタルインターフェイス受信装置がＨＤＭＩ規格に従うＨＤＭＩインタフェイスケーブルによりソース機器に接続されるものとする。ＨＤＭＩ規格によれば、映像信号を送信するともに、映像信号のブランキング期間（垂直ブランキング期間および水平ブランキング期間）に補足データを送信することができる。補足データには、音声信号およびＩｎｆｏＦｒａｍｅ（情報フレーム）と呼ばれるデータパケットが含まれる。
【００５９】
ＴＭＤＳレベル検出回路１ａ，１ｂ，１ｃ，１ｄには、ソース機器からケーブルを通して伝送されるＴＭＤＳ方式のデータ（デジタル信号）ＣＨ０，ＣＨ１，ＣＨ２およびクロック信号ＣＬＫがそれぞれ与えられる。また、差動バッファ２ａ，２ｂ，２ｃ，２ｄにも、データＣＨ０，ＣＨ１，ＣＨ２およびクロック信号ＣＬＫがそれぞれ与えられる。データＣＨ０，ＣＨ１，ＣＨ２には、映像信号、同期信号、音声信号および制御信号が多重化されている。
【００６０】
ＴＭＤＳレベル検出回路１ａ，１ｂ，１ｃ，１ｄは、データＣＨ０，ＣＨ１，ＣＨ２およびクロック信号ＣＬＫのレベルが所定値以上であるか否かを判別し、判別結果を示す出力信号をＡＮＤ回路１３に与える。ＴＭＤＳレベル検出回路１ａ，１ｂ，１ｃ，１ｄの出力信号は、それぞれデータＣＨ０，ＣＨ１，ＣＨ２およびクロック信号ＣＬＫのレベルが所定値以上である場合にＨレベル（ハイレベル）となり、それぞれデータＣＨ０，ＣＨ１，ＣＨ２およびクロック信号ＣＬＫのレベルのいずれか１つでも所定値よりも低い場合にＬレベル（ローレベル）となる。
【００６１】
差動バッファ２ａ，２ｂ，２ｃは、データＣＨ０，ＣＨ１，ＣＨ２を復号部４に与える。差動バッファ２ｄは、クロック信号ＣＬＫを逓倍回路３およびクロック検出回路１２に与える。
【００６２】
逓倍回路３は、クロック信号ＣＬＫからＴＭＤＳ復号のための高速クロック信号ＣＬＫ１を発生し、高速クロック信号ＣＬＫ１を復号部４およびロック検出回路１４に与える。
【００６３】
復号部４は、高速クロック信号ＣＬＫ１を用いてＴＭＤＳ方式のデータＣＨ０，ＣＨ１，ＣＨ２を復号するとともに、デジタルコンテンツプロテクションであるＨＤＣＰを復号する。
【００６４】
分離回路５は、復号部４により復号されたデータから映像信号ＶＤ、映像同期信号ＳＹおよび音声・制御信号ＡＣを分離する。映像信号ＶＤは、赤色コンポーネント信号Ｒ、緑色コンポーネント信号Ｇおよび青色コンポーネント信号Ｂからなる。あるいは、映像信号ＶＤは、輝度信号Ｙおよび色差信号Ｐｂ，Ｐｒからなってもよい。映像同期信号ＳＹは、水平同期信号Ｈ、垂直同期信号Ｖおよびデータイネーブル信号ＤＥからなる。
【００６５】
ＯＳＤ処理回路２０は、後述する音声制御装置１８から出力されるＯＳＤ制御信号ＯＳに基づいて映像信号ＶＤにオンスクリーン表示のためのグラフィック信号を合成し、合成された映像信号ＶＤ１を出力するとともに映像同期信号ＳＹを出力する。
【００６６】
エラー訂正検出回路７は、分離回路５から出力される音声・制御信号ＡＣのエラーを検出および訂正し、訂正された音声・制御信号ＡＣを分離回路８に出力するとともに、エラー率の検出結果を示す出力信号ｅを音声制御装置１８に与える。出力信号ｅは、エラー率が所定値以下の場合にＨレベルになり、エラー率が所定値を超える場合にＬレベルとなる。
【００６７】
分離回路８は、エラー訂正検出回路７から出力される音声・制御信号ＡＣをデジタル音声信号ＡＳ０と制御信号ＣＮとに分離する。この制御信号ＣＮは、ソース機器から映像ブランキング期間に伝送される。
【００６８】
音声クロック発生回路６は、分周比／逓倍比情報を用いて音声クロック信号を発生する。ここで、分周比／逓倍比情報は、映像クロック信号から音声クロック信号を作成するためにソース機器から映像ブランキング期間に制御信号の一部として伝送される。
【００６９】
音声ＤＡＣ９は、分離回路８から出力されるデジタル音声信号ＡＳ０をアナログ音声信号ＡＳに変換する。音声ミュート回路１０は、後述する音声制御装置１８から出力される音声ミュート信号ｉに基づいて音声ＤＡＣ９から出力されるアナログ音声信号ＡＳのミュート動作を行う。
【００７０】
電圧検出回路１１は、ソース機器から供給される５Ｖの電源電圧を検出し、検出結果を示す出力信号ａを音声制御装置１８に与える。出力信号ａは、電源電圧のレベルが所定のしきい値を超える場合にＨレベルとなり、電源電圧のレベルがしきい値以下の場合にはＬレベルとなる。
【００７１】
クロック検出回路１２は、ソース機器から伝送されるクロック信号ＣＬＫの入力の有無を判別し、判別結果を示す出力信号ｂを音声制御装置１８に与える。出力信号ｂは、クロック信号ＣＬＫの入力がある場合にＨレベルとなり、クロック信号ＣＬＫの入力がない場合にＬレベルとなる。
【００７２】
ＡＮＤ回路１３は、ＴＭＤＳレベル検出回路１ａ，１ｂ，１ｃ，１ｄの出力信号の論理積を演算し、演算結果を示す出力信号ｃを音声制御装置１８に与える。出力信号ｃは、データＣＨ０，ＣＨ１，ＣＨ２およびクロック信号ＣＬＫのすべてのレベルが所定値を超える場合にＨレベルとなり、その他の場合にＬレベルとなる。
【００７３】
ロック検出回路１４は、逓倍回路３がロック状態にあるか否かを判別し、判別結果を示す出力信号ｄを音声制御装置１８に与える。出力信号ｄは、逓倍回路３がロック状態にある場合にＨレベルとなり、逓倍回路３が非ロック状態にある場合にＬレベルとなる。
【００７４】
音声ＰＬＬロック検出回路１５は、音声クロック発生回路６がロック状態にあるか否かを判別し、判別結果を示す出力信号ｆを音声制御装置１８に与える。出力信号ｆは、音声クロック発生回路６がロック状態にある場合にＨレベルになり、音声クロック発生回路６が非ロック状態にある場合にＬレベルとなる。
【００７５】
制御信号変化検出回路１６は、分離回路８から出力される制御信号ＣＮの変化を検出し、制御信号ＣＮの変化の検出結果を示す出力信号ｇを音声制御装置１８に与える。出力信号ｇは、制御信号ＣＮの変化が検出されない場合にＨレベルとなり、制御信号ＣＮの変化が検出された場合にＬレベルとなる。
【００７６】
同期検出回路１７は、映像同期信号ＳＹが安定して出力されているか否かを判別し、判別結果を示す出力信号ｈを音声制御装置１８に与える。出力信号ｈは、映像同期信号ＳＹが安定して出力されている場合にＨレベルとなり、映像同期信号ＳＹが不安定状態にある場合にＬレベルとなる。
【００７７】
音声制御装置１８は、電圧検出回路１１の出力信号ａ、クロック検出回路１２の出力信号ｂ、ＡＮＤ回路１３の出力信号ｃ、ロック検出回路１４の出力信号ｄ、エラー訂正検出回路７の出力信号ｅ、音声ＰＬＬロック検出回路１５の出力信号ｆ、制御信号変化検出回路１６の出力信号ｇおよび同期検出回路１７の出力信号ｈに基づいて音声ミュート信号ｉを生成し、その音声ミュート信号ｉを音声ミュート回路１０に与えるとともに、ＯＳＤ制御信号ＯＳをＯＳＤ処理回路２０に与える。
【００７８】
この場合、音声制御装置１８は、出力信号ａ〜ｈのうち少なくとも１つがＬレベルになると、音声ミュート信号ｉをミュート制御状態（Ｌレベル）にする。それにより、音声ミュート回路１０がミュート状態になる。また、音声制御装置１８は、出力信号ａ〜ｈのすべてがＨレベルになると、音声ミュート信号ｉをミュート解除状態（Ｈレベル）にする。それにより、音声ミュート回路１０のミュート状態が解除される。
【００７９】
音声制御装置１８は、マイクロコンピュータ等のプロセッサにより構成されてもよく、回路構成組替え可能なリコンフィギャブルロジックにより構成されてもよく、専用回路により構成されてもよく、あるいはこれらのうち２つまたは３つの組み合わせにより構成されてもよい。
【００８０】
図２は図１のデジタルインターフェイス受信装置の動作の一例を示す図である。
【００８１】
図２において、電源がオフのときには、音声制御装置１８から出力される音声ミュート信号ｉはミュート制御状態（Ｌレベル）となっている。それにより、音声ミュート回路１０がミュート状態となっている。
【００８２】
ソース機器からの映像信号および音声信号の出力が安定している場合に、タイミングＡでデジタルインターフェイス受信装置の電源がオンになると、電圧検出回路１１の出力信号ａがＨレベルになる。その後、クロック検出回路１２の出力信号ｂ、ＡＮＤ回路１３の出力信号ｃおよびロック検出回路１４の出力信号ｄがＨレベルになり、タイミングＢでエラー訂正検出回路７の出力信号ｅ、音声ＰＬＬロック検出回路１５の出力信号ｆ、制御信号変化検出回路１６の出力信号ｇおよび同期検出回路１７の出力信号ｈがＨレベルになる。
【００８３】
すべての出力信号ａ〜ｈがＨレベルになってから一定時間α経過後に音声制御装置１８から出力される音声ミュート信号ｉがＨレベルになる。それにより、タイミングＣで音声ミュート回路１０のミュート状態が解除される。一定時間αは、音声信号の遅延の影響を受けない程度の時間でよく、この一定時間αにより、ミュートの制御を確実に行うものである。
【００８４】
その状態でタイミングＤで映像信号の映像フォーマットが切り替わると、ロック検出回路１４の出力信号ｄ、音声ＰＬＬロック検出回路１５の出力信号ｆ、制御信号変化検出回路１６の出力信号ｇおよび同期検出回路１７の出力信号ｈがＬレベルになる。
【００８５】
音声制御装置１８は、出力信号ａ〜ｈのうちいずれか１つがＬレベルになると、音声ミュート信号ｉをＬレベルにする。それにより、音声ミュート回路１０がミュート状態になる。映像フォーマットの切り替えが終了すると、出力信号ｄ，ｆ，ｇ，ｈがＨレベルに戻る。それにより、タイミングＥですべての出力信号ａ〜ｈがＨレベルになる。
【００８６】
音声制御装置１８から出力される音声ミュート信号ｉは、出力信号ａ〜ｈのすべてがＨレベルになってから一定時間α経過後にＨレベルになる。それにより、タイミングＦで音声ミュート回路１０のミュート状態が解除される。
【００８７】
次に、音声信号の音声フォーマットが切り替わると、タイミングＧで音声ＰＬＬロック検出回路１５の出力信号ｆおよび制御信号変化検出回路１６の出力信号ｇがＬレベルになる。
【００８８】
音声制御装置１８は、出力信号ａ〜ｈのいずれか１つがＬレベルになると、音声ミュート信号ｉをＬレベルにする。それにより、音声ミュート回路１０がミュート状態になる。音声フォーマットの切り替えが終了すると、出力信号ｆ，ｇがＨレベルに戻る。それにより、タイミングＨで出力信号ａ〜ｈのすべてがＨレベルになる。
【００８９】
音声制御装置１８から出力される音声ミュート信号ｉは、出力信号ａ〜ｈのすべてがＨレベルになってから一定時間α経過後にＨレベルになる。それにより、タイミングＩで音声ミュート回路１０のミュート状態が解除される。
【００９０】
次に、タイミングＪでケーブルが抜けた場合に、出力信号ａ，ｂ，ｃ，ｄ，ｅ，ｆ，ｇ，ｈがＬレベルになる。音声制御装置１８は、出力信号ａ〜ｈのいずれか１つがＬレベルになると、音声ミュート信号ｉをＬレベルにする。それにより、音声ミュート回路１０がミュート状態となる。この場合、出力信号ａ〜ｉのうち出力信号ｇのみが一定時間経過後にＨレベルに戻るが、それ以外の出力信号ａ，ｂ，ｃ，ｄ，ｅ，ｆ，ｈはケーブルが挿入されるまでＬレベルを維持する。その結果、音声ミュート回路１０はミュート状態を継続する。
【００９１】
次に、タイミングＫでケーブルが挿し込まれた場合には、出力信号ａ，ｂ，ｃ，ｄ，ｅ，ｆ，ｈがＨレベルに戻る。それにより、タイミングＬで出力信号ａ〜ｈのすべてがＨレベルになる。音声制御装置１８から出力される音声ミュート信号ｉは、出力信号ａ〜ｈのすべてがＨレベルになってから一定時間α経過後にＨレベルになる。それにより、タイミングＭで音声ミュート回路１０のミュート状態が解除される。
【００９２】
図３はエラー発生時のデジタルインターフェイス受信装置における信号の状態およびオンスクリーン表示の第１の例を示す図である。
【００９３】
図３（ａ）の例は、ケーブル未接続またはソース機器の電源オフによる伝送エラーが発生した場合の出力信号ａ〜ｈおよび音声ミュート信号ｉの状態を示している。この場合、データＣＨ０，ＣＨ１，ＣＨ２およびクロック信号ＣＬＫが未入力状態となる。
【００９４】
出力信号ａ，ｂ，ｃが所定時間以上Ｌレベルで安定している場合には、図１の音声制御装置１８はデータＣＨ０，ＣＨ１，ＣＨ１およびクロック信号ＣＬＫの少なくとも１つが未入力状態であると判定し、表示装置３０の画面に図３（ｂ）のようなオンスクリーン表示を行うようにＯＳＤ制御信号ＯＳによりＯＳＤ処理回路２０を制御する。
【００９５】
図３（ｂ）の例では、表示装置３０の画面に伝送エラーが発生している旨のメッセージおよびケーブル接続またはソース機器の電源を確認すべき旨のメッセージが表示される。
【００９６】
図４はエラー発生時のデジタルインターフェイス受信装置における信号の状態およびオンスクリーン表示の第２の例を示す図である。
【００９７】
図４（ａ）の例は、ケーブルの接続不良による伝送エラーが発生した場合の出力信号ａ〜ｈおよび音声ミュート信号ｉの状態を示している。
【００９８】
出力信号ａ，ｂ，ｃが所定時間以上Ｈレベルで安定しており、かつ出力信号ｄ，ｅ，ｆ，ｇ，ｈが一定時間内においてＬレベルおよびＨレベルに繰り返し変化するかまたはＬレベルの状態である場合には、図１の音声制御装置１８は伝送エラーが発生していると判定し、表示装置３０の画面に図４（ｂ）のオンスクリーン表示を行うようにＯＳＤ制御信号ＯＳによりＯＳＤ処理回路２０を制御する。
【００９９】
図４（ｂ）の例では、表示装置３０の画面に伝送エラーが発生している旨のメッセージおよびケーブル接続を確認すべき旨のメッセージが表示される。
【０１００】
図５はエラー発生時のデジタルインターフェイス受信装置における信号の状態およびオンスクリーン表示の第３の例を示す図である。
【０１０１】
図５（ａ）の例は、ＨＤＣＰ認証エラーが発生した場合の出力信号ａ〜ｈのおよび音声ミュート信号ｉの状態を示している。
【０１０２】
出力信号ａ，ｂ，ｃ，ｄ，ｈがＨレベルで安定しており、かつ出力信号ｅ，ｆ，ｇが一定時間内においてＬレベルおよびＨレベルに繰り返し変化するかまたはＬレベルの状態にある場合には、図１の音声制御装置１８は著作権保護のためのＨＤＣＰの認証エラーが発生していると判定し、表示装置３０の画面に図５（ｂ）のようなオンスクリーン表示を行うようにＯＳＤ制御信号ＯＳによりＯＳＤ処理回路２０を制御する。
【０１０３】
図５（ｂ）の例では、表示装置３０の画面に認証エラーが発生している旨のメッセージおよび所定の者に連絡すべき旨のメッセージが表示される。
【０１０４】
以上のように、本実施の形態に係るデジタルインターフェイス受信装置においては、映像信号、音声信号および制御信号を伝送する高速デジタルインターフェイス規格に準拠したデジタル信号において、各種状態変化により生じる音声ノイズを抑制することが可能となる。それにより、音声ノイズによりユーザに不快感を与えることが防止されるとともに、スピーカ４０等の音声出力装置にダメージを与えることが回避される。
【０１０５】
また、エラー状態をオンスクリーン表示することにより、ユーザに音声ノイズの発生原因を認識させることが可能となる。
【０１０６】
本実施の形態では、差動バッファ２ａ〜２ｄが受信部に相当し、ＴＭＤＳレベル検出回路１ａ〜１ｄ、エラー訂正検出回路７、電圧検出回路１１、クロック検出回路１２、ＡＮＤ回路１３、ロック検出回路１４、音声ＰＬＬロック検出回路１５、制御信号変化検出回路１６および同期検出回路１７が検出装置または複数の状態検出回路に相当する。また、音声ミュート回路１０がミュート回路に相当し、音声制御装置１８が制御装置に相当する。
【０１０７】
さらに、電圧検出回路１１が電圧検出回路に相当し、クロック検出回路１２がクロック検出回路に相当し、逓倍回路３が逓倍回路に相当し、ロック検出回路１４がロック検出回路に相当し、ＴＭＤＳレベル検出回路１ａ〜１ｄおよびＡＮＤ回路１３がデジタル信号検出回路、動作状態検出回路またはレベル検出回路に相当し、エラー訂正検出回路７がエラー検出回路に相当し、音声クロック発生回路６が音声クロック発生回路に相当し、音声ＰＬＬロック検出回路１５がロック検出回路に相当し、制御信号変化検出回路１６が変化検出回路またはフォーマット検出回路に相当し、分離回路５が同期信号分離回路に相当し、同期検出回路１７が同期検出回路に相当し、ＯＳＤ処理回路２０がオンスクリーン表示処理回路に相当する。
【０１０８】
なお、本実施の形態では、デジタルインターフェイス受信装置がＨＤＭＩ規格に準拠したデジタル信号を受信するよう構成されているが、ソース機器からＤＶＩ規格等の他の高速デジタルインターフェイス規格に準拠したデジタル信号を受信するように、デジタルインターフェイス受信装置を構成してもよい。
【図面の簡単な説明】
【０１０９】
【図１】  図１は、本発明の一実施の形態に係る高速デジタル映像音声インターフェイス受信装置の構成を示すブロック図、
【図２】  図２は、図１のデジタルインターフェイス受信装置の動作の一例を示す図、
【図３】  図３（ａ）は、エラー発生時のデジタルインターフェイス受信装置における信号の状態を示す図、
図３（ｂ）は、オンスクリーン表示の第１の例を示す図、
【図４】  図４は（ａ）は、エラー発生時のデジタルインターフェイス受信装置における信号の状態を示す図、
図４は（ｂ）は、オンスクリーン表示の第２の例を示す図、
【図５】  図５（ａ）は、エラー発生時のデジタルインターフェイス受信装置における信号の状態を示す図、
図５（ｂ）は、オンスクリーン表示の第３の例を示す図、
【図６】  図６は、ＤＶＩ規格に従う従来の信号伝送システムの構成を示す図である。
【手続補正書】
【提出日】平成17年5月23日(2005.5.23)
【手続補正１】
【補正対象書類名】特許請求の範囲
【補正対象項目名】全文
【補正方法】変更
【補正の内容】
【特許請求の範囲】
【請求項１】
ソースから送信される音声信号を含むデジタル信号を受信するデジタルインターフェイス受信装置であって、
前記ソースから送信される前記デジタル信号を受信する受信部と、
前記ソースとのインターフェイス状態を検出する検出装置と、
前記デジタル信号から抽出された音声信号をミュートするミュート回路と、
前記検出装置の検出結果に基づいて前記ミュート回路をミュート状態またはミュート解除状態に制御する制御装置とを備えた、デジタルインターフェイス受信装置。
【請求項２】
前記制御装置は、前記検出装置により検出されたインターフェイス状態が所定の不良状態である場合に前記ミュート回路をミュート状態に設定し、前記検出装置により検出されたインターフェイス状態が所定の正常状態になった時点から所定時間経過後に前記ミュート回路をミュート解除状態に設定する、請求項１記載のデジタルインターフェイス受信装置。
【請求項３】
前記検出装置は、前記ソースから供給される電源電圧のレベルを前記インターフェイス状態として検出する電圧検出回路を含み、
前記制御装置は、前記電圧検出回路により検出される電源電圧のレベルが所定のしきい値以下である場合に前記ミュート回路をミュート状態に設定する、請求項１記載のデジタルインターフェイス受信装置。
【請求項４】
前記受信部は前記ソースから送信されるクロック信号をさらに受信し、
前記検出装置は、前記ソースから送信されるクロック信号の入力の有無を前記インターフェイス状態として検出するクロック検出回路を含み、
前記制御装置は、前記クロック検出回路によりクロック信号の入力が検出されない場合に前記ミュート回路をミュート状態に設定する、請求項１記載のデジタルインターフェイス受信装置。
【請求項５】
前記受信部は前記ソースから送信されるクロック信号をさらに受信し、
前記受信部により受信されたクロック信号を逓倍する逓倍回路をさらに備え、
前記検出装置は、前記逓倍回路のロック状態を前記インターフェイス状態として検出するロック検出回路を含み、
前記制御装置は、前記ロック検出回路により前記逓倍回路の非ロック状態が検出された場合に前記ミュート回路をミュート状態に設定する、請求項１記載のデジタルインターフェイス受信装置。
【請求項６】
前記検出装置は、前記ソースから送信されるデジタル信号の入力の有無を検出するデジタル信号検出回路を含み、
前記制御装置は、前記デジタル信号検出回路によりデジタル信号の入力が検出されない場合に前記ミュート回路をミュート状態に設定する、請求項１記載のデジタルインターフェイス受信装置。
【請求項７】
前記検出装置は、前記ソースの動作状態を前記インターフェイス状態として検出する動作状態検出回路を含み、
前記制御装置は、前記動作状態検出回路により前記ソースが動作していないことが検出された場合に前記ミュート回路をミュート状態に設定する、請求項１記載のデジタルインターフェイス受信装置。
【請求項８】
前記動作状態検出回路は、前記ソースから送信されるデジタル信号のレベルに基づいて前記ソースの動作状態を検出するレベル検出回路を含み、
前記制御装置は、前記レベル検出回路により検出されるデジタル信号のレベルが所定値以下の場合に前記ミュート回路をミュート状態に設定する、請求項７記載のデジタルインターフェイス受信装置。
【請求項９】
前記検出装置は、前記受信部により受信されたデジタル信号のエラー率を前記インターフェイス状態として検出するエラー検出回路を含み、
前記制御装置は、前記エラー検出回路により検出されたエラー率が所定値を超える場合に前記ミュート回路をミュート状態に設定する、請求項１記載のデジタルインターフェイス受信装置。
【請求項１０】
前記受信部により受信されるデジタル信号は制御信号を含み、
前記制御信号に基づいて音声クロック信号を発生する音声クロック発生回路をさらに備え、
前記検出装置は、前記音声クロック発生回路のロック状態を前記インターフェイス状態として検出するロック検出回路を含み、
前記制御装置は、前記ロック検出回路により前記音声クロック発生回路の非ロック状態が検出された場合に前記ミュート回路をミュート状態に設定する、請求項１記載のデジタルインターフェイス受信装置。
【請求項１１】
前記受信部により受信されるデジタル信号は制御信号を含み、
前記検出装置は、前記制御信号に基づいて前記デジタル信号のフォーマットの変化を検出する変化検出回路を含み、
前記制御装置は、前記変化検出回路により前記フォーマットの変化が検出された場合に前記ミュート回路をミュート状態に設定する、請求項１記載のデジタルインターフェイス受信装置。
【請求項１２】
前記受信部により受信されるデジタル信号は映像信号および同期信号を含み、
前記検出装置は、前記同期信号に基づいて前記映像信号のフォーマットを前記インターフェイス状態として検出するフォーマット検出回路を含み、
前記制御装置は、前記フォーマット検出回路により前記映像信号のフォーマットの変化が検出された場合に前記ミュート回路をミュート状態に設定する、請求項１記載のデジタルインターフェイス受信装置。
【請求項１３】
前記受信部により受信されるデジタル信号は同期信号を含み、
前記受信部により受信されるデジタル信号から同期信号を分離する同期分離回路をさらに備え、
前記検出装置は、前記同期分離回路により分離された同期信号が安定しているか否かを前記インターフェイス状態として検出する同期検出回路を含み、
前記制御装置は、前記同期検出回路により同期信号が不安定状態にあることが検出された場合に前記ミュート回路をミュート状態に設定する、請求項１記載のデジタルインターフェイス受信装置。
【請求項１４】
前記検出装置は、前記インターフェイス状態として複数の状態を検出する複数の状態検出回路を含み、
前記制御装置は、前記複数の状態検出回路により検出された複数の状態のうち少なくとも１つが所定の不良状態である場合に前記ミュート回路をミュート状態に設定する、請求項１記載のデジタルインターフェイス受信装置。
【請求項１５】
前記受信部により受信されるデジタル信号は映像信号および制御信号を含み、
前記受信部により受信される映像信号にオンスクリーン表示のための信号を合成するオンスクリーン表示処理回路をさらに備え、
前記制御装置は、前記検出装置の検出結果に基づくメッセージがオンスクリーン表示されるように前記オンスクリーン表示処理回路を制御する、請求項１記載のデジタルインターフェイス受信装置。
【請求項１６】
前記受信部は、前記ソースから送信されるクロック信号をさらに受信し、
前記制御装置は、前記ソースから供給される電源電圧のレベルが所定のしきい値以下でありかつ前記クロック信号の入力が検出されずかつ前記デジタル信号の入力が検出されない場合に、信号の未入力を示すメッセージがオンスクリーン表示されるように前記オンスクリーン表示処理回路を制御する、請求項１５記載のデジタルインターフェイス受信装置。
【請求項１７】
前記受信部は、前記ソースから送信されるクロック信号をさらに受信し、
前記制御装置は、
前記デジタル信号から抽出される同期信号が安定状態にありかつ前記クロック信号から生成される映像クロック信号が安定状態にあり、かつ、
前記デジタル信号のエラー率が所定値を超える場合、前記制御信号に基づいて発生される音声クロック信号が不安定状態にある場合、または前記制御信号が一定時間内に変化している場合に、
著作権保護技術の認証にエラーが生じたことを示すメッセージがオンスクリーン表示されるように前記オンスクリーン表示処理回路を制御する、請求項１５記載のデジタルインターフェイス受信装置。
【請求項１８】
前記受信部は、ソースから送信されるクロック信号をさらに受信し、
前記制御装置は、
前記デジタル信号から抽出される同期信号が不安定状態にありかつ前記クロック信号から生成される映像クロック信号が不安定状態にあり、かつ、
前記デジタル信号のエラー率が所定値を超える場合、前記制御信号に基づいて発生される音声クロック信号が不安定状態にある場合、または前記制御信号が一定時間内で変化している場合に、
伝送系のエラーが生じたことを示すメッセージがオンスクリーン表示されるように前記オンスクリーン表示処理回路を制御する、請求項１５記載のデジタルインターフェイス受信装置。
【手続補正２】
【補正対象書類名】明細書
【補正対象項目名】全文
【補正方法】変更
【補正の内容】
【書類名】      明細書
【技術分野】
【０００１】
本発明は、音声信号を含むデジタル信号を伝送することができる伝送規格に適合するデジタルインターフェイス受信装置に関する。
【背景技術】
【０００２】
近年、ＨＤＭＩ（High Definition Multimedia Interface）規格、ＤＶＩ（Digital Visual Interface）規格などの高速デジタルインターフェイス規格に準拠した種々の電子機器の開発が進められている。特に、ＨＤＭＩ規格では、映像のブランキング期間における音声信号および制御信号の伝送が規定されている。これらの高速デジタルインターフェイス規格では、ＴＭＤＳ（Transmission Minimized Differential Signaling）というシリ
アル伝送方式が採用されている。
【０００３】
図６はＤＶＩ規格に従う従来の信号伝送システムの構成を示す図である（DDWG,"Digital Visual Interface,"Revision 1.0, April 2,1999，インターネット＜URL： HYPERLINK "http://www.ddwg.org/" http://www.ddwg.org/＞）。
【０００４】
図６の信号伝送システムにおいて、送信側にＴＭＤＳエンコーダ／シリアライザ２６０１，２６０２，２６０３が設けられ、受信側にＴＭＤＳデコーダ／リカバリ２６０４，２６０５，２６０６が設けられる。
【０００５】
送信側では、８ビットの赤色コンポーネント信号Ｒ、データイネーブル信号ＤＥおよび２ビットの制御信号ＣＴＬ２，ＣＴＬ３がＴＭＤＳエンコーダ／シリアライザ２６０１に入力される。また、８ビットの緑色コンポーネント信号Ｇ、データイネーブル信号ＤＥおよび２ビットの制御信号ＣＴＬ０，ＣＴＬ１がＴＭＤＳエンコーダ／シリアライザ２６０２に入力される。さらに、８ビットの青色コンポーネント信号Ｂ、データイネーブル信号ＤＥおよび２ビットの同期信号ＨＳＹＮＣ，ＶＳＹＮＣがＴＭＤＳエンコーダ／シリアライザ２６０３に入力される。
【０００６】
ＴＭＤＳエンコーダ／シリアライザ２６０１は、８ビットの赤色コンポーネント信号ＲをＴＭＤＳエンコードして１０ビットに変換し、さらにシリアル信号に変換する。８ビットから１０ビットへの変換の目的は、データの変化点を減少させることにより信号を高速伝送に適した形式にするためである。
【０００７】
また、ＴＭＤＳエンコーダ／シリアライザ２６０１は、２ビットの制御信号ＣＴＬ２，ＣＴＬ３をＴＭＤＳエンコードして１０ビットに変換し、さらにシリアル信号に変換する。さらに、ＴＭＤＳエンコーダ／シリアライザ２６０１は、データイネーブル信号ＤＥをエンコードし、シリアル信号に変換する。
【０００８】
このようにして、ＴＭＤＳエンコーダ／シリアライザ２６０１は、赤色コンポーネント信号Ｒ、データイネーブル信号ＤＥおよび制御信号ＣＴＬ２，ＣＴＬ３が時分割多重化されたシリアル信号をチャンネルｃｈ２の伝送路に送出する。
【０００９】
同様に、ＴＭＤＳエンコーダ／シリアライザ２６０２は、緑色コンポーネント信号Ｇ、データイネーブル信号ＤＥおよび制御信号ＣＴＬ０，ＣＴＬ１が時分割多重化されたシリアル信号をチャンネルｃｈ１の伝送路に送出する。また、ＴＭＤＳエンコーダ／シリアライザ２６０３は、青色コンポーネント信号Ｂ、データイネーブル信号ＤＥおよび同期信号ＨＳＹＮＣ，ＶＳＹＮＣが時分割多重化されたシリアル信号をチャンネルｃｈ０の伝送路に送出する。
【００１０】
受信側において、ＴＭＤＳデコーダ／リカバリ２６０４は、チャンネルｃｈ２の伝送路から受信したシリアル信号をＴＭＤＳデコードし、８ビットの赤色コンポーネント信号Ｒ、データイネーブル信号ＤＥおよび２ビットの制御信号ＣＴＬ２，ＣＴＬ３に復元する。ＴＭＤＳデコーダ／リカバリ２６０５は、チャンネルｃｈ１の伝送路から受信したシリアル信号をＴＭＤＳデコードし、８ビットの緑色コンポーネント信号Ｇ、データイネーブル信号ＤＥおよび２ビットの制御信号ＣＴＬ０，ＣＴＬ１を復元する。ＴＭＤＳデコーダ／リカバリ２６０６は、チャンネルｃｈ０の伝送路から受信したシリアル信号をＴＭＤＳデコードし、８ビットの青色コンポーネント信号Ｂ、データイネーブル信号ＤＥおよび２ビットの同期信号ＨＳＹＮＣ，ＶＳＹＮＣを復元する。
【００１１】
データイネーブル信号ＤＥは、赤色コンポーネント信号Ｒ、緑色コンポーネント信号Ｇおよび青色コンポーネント信号Ｂが存在する期間を示し、アクティブ状態でハイレベル（Ｈレベル）となる。
【００１２】
例えば、データイネーブル信号ＤＥがローレベル（Ｌレベル）となる期間は、映像の水平同期信号の期間または垂直同期信号の期間に相当する。また、上記のように、４つの制御信号ＣＴＬ０，ＣＴＬ１，ＣＴＬ２，ＣＴＬ３が用意されている。しかしながら、現在のＤＶＩ規格では、制御信号ＣＴＬ０，ＣＴＬ１，ＣＴＬ２，ＣＴＬ３は未使用状態である。具体的には、制御信号ＣＴＬ０，ＣＴＬ１，ＣＴＬ２，ＣＴＬ３のレベルは常時０となっている。
【００１３】
一方、ＨＤＭＩ規格は、ＤＶＩ規格で規定されたデジタル映像信号に追加してデジタル音声信号を伝送する規格である。デジタル音声信号を伝送した場合、ケーブルの挿抜、伝送エラー、電源オン／オフ、映像または音声のフォーマットの切り替え等により音声ノイズが発生し、ユーザに不快感を与え、あるいはスピーカにダメージを与えることもある。
【発明の開示】
本発明の目的は、音声ノイズによりユーザに不快感を与えることが防止されたデジタルインターフェイス受信装置を提供することである。
【００１４】
本発明の一局面に従うデジタルインターフェイス受信装置は、ソースから送信される音声信号を含むデジタル信号を受信するデジタルインターフェイス受信装置であって、ソースから送信されるデジタル信号を受信する受信部と、ソースとのインターフェイス状態を検出する検出装置と、デジタル信号から抽出された音声信号をミュートするミュート回路と、検出装置の検出結果に基づいてミュート回路をミュート状態またはミュート解除状態に制御する制御装置とを備えたものである。
【００１５】
そのデジタルインターフェイス受信装置においては、ソースから送信される音声信号を含むデジタル信号が受信部により受信される。また、検出装置によりソースとのインターフェイス状態が検出される。制御装置により検出装置の検出結果に基づいてミュート回路がミュート状態およびミュート解除状態に制御される。
【００１６】
この場合、インターフェイス状態に基づいてミュート回路により音声信号がミュートされる。それにより、音声ノイズが消去され、音声ノイズによりユーザに不快感を与えることが防止される。
【００１７】
制御装置は、検出装置により検出されたインターフェイス状態が所定の不良状態である場合にミュート回路をミュート状態に設定し、検出装置により検出されたインターフェイス状態が所定の正常状態になった時点から所定時間経過後にミュート回路をミュート解除状態に設定してもよい。
【００１８】
この場合、インターフェイス状態が所定の不良状態である場合にミュート回路がミュート状態に設定され、インターフェイス状態が所定の正常状態になった時点から所定時間経過後にミュート回路がミュート解除状態に設定される。それにより、音声ノイズが確実に消去される。
【００１９】
検出装置は、ソースから供給される電源電圧のレベルをインターフェイス状態として検出する電圧検出回路を含み、制御装置は、電圧検出回路により検出される電源電圧のレベルが所定のしきい値以下である場合にミュート回路をミュート状態に設定してもよい。
【００２０】
この場合、ソースから供給される電源電圧のレベルが所定のしきい値以下である場合にミュート回路がミュート状態に設定される。それにより、ソースの電源オフ時またはケーブルの接続不良時の音声ノイズを消去することができる。
【００２１】
受信部はソースから送信されるクロック信号をさらに受信し、検出装置は、ソースから送信されるクロック信号の入力の有無をインターフェイス状態として検出するクロック検出回路を含み、制御装置は、クロック検出回路によりクロック信号の入力が検出されない場合にミュート回路をミュート状態に設定してもよい。
【００２２】
この場合、ソースから送信されるクロック信号の入力が検出されない場合にミュート回路がミュート状態に設定される。それにより、ソースの電源オフ時、ケーブルの接続不良時、信号の未入力時または伝送系の不良時の音声ノイズを消去することができる。
【００２３】
受信部はソースから送信されるクロック信号をさらに受信し、受信部により受信されたクロック信号を逓倍する逓倍回路をさらに備え、検出装置は、逓倍回路のロック状態をインターフェイス状態として検出するロック検出回路を含み、制御装置は、ロック検出回路により逓倍回路の非ロック状態が検出された場合にミュート回路をミュート状態に設定してもよい。
【００２４】
この場合、逓倍回路の非ロック状態が検出された場合にミュート回路がミュート状態に設定される。それにより、ソースの電源オフ時、デジタル信号のフォーマットの変化時、ケーブルの接続不良時、信号の未入力時または伝送系の不良時の音声ノイズを消去することができる。
【００２５】
検出装置は、ソースから送信されるデジタル信号の入力の有無を検出するデジタル信号検出回路を含み、制御装置は、デジタル信号検出回路によりデジタル信号の入力が検出されない場合にミュート回路をミュート状態に設定してもよい。
【００２６】
この場合、デジタル信号の入力が検出されない場合にミュート回路がミュート状態に設定される。それにより、ソースの電源オフ時、ケーブルの接続不良時、信号の未入力時または伝送系の不良時の音声ノイズを消去することができる。
【００２７】
検出装置は、ソースの動作状態をインターフェイス状態として検出する動作状態検出回路を含み、制御装置は、動作状態検出回路によりソースが動作していないことが検出された場合にミュート回路をミュート状態に設定してもよい。
【００２８】
この場合、ソースが動作していないことが検出された場合にミュート回路がミュート状態に設定される。それにより、ソースの電源オフ時または信号の未入力時の音声ノイズを消去することができる。
【００２９】
動作状態検出回路は、ソースから送信されるデジタル信号のレベルに基づいてソースの動作状態を検出するレベル検出回路を含み、制御装置は、レベル検出回路により検出されるデジタル信号のレベルが所定値以下の場合にミュート回路をミュート状態に設定してもよい。
【００３０】
この場合、デジタル信号のレベルが所定値以下の場合にミュート回路がミュート状態に設定される。それにより、ソースの電源オフ時または信号の未入力時の音声ノイズを消去することができる。
【００３１】
検出装置は、受信部により受信されたデジタル信号のエラー率をインターフェイス状態として検出するエラー検出回路を含み、制御装置は、エラー検出回路により検出されたエラー率が所定値を超える場合にミュート回路をミュート状態に設定してもよい。
【００３２】
この場合、エラー率が所定値を超える場合にミュート回路がミュート状態に設定される。それにより、ソースの電源オフ時、ケーブルの接続不良時または伝送系の不良時の音声ノイズを消去することができる。
【００３３】
受信部により受信されるデジタル信号は制御信号を含み、制御信号に基づいて音声クロック信号を発生する音声クロック発生回路をさらに備え、検出装置は、音声クロック発生回路のロック状態をインターフェイス状態として検出するロック検出回路を含み、制御装置は、ロック検出回路により音声クロック発生回路の非ロック状態が検出された場合にミュート回路をミュート状態に設定してもよい。
【００３４】
この場合、音声クロック発生回路の非ロック状態が検出された場合にミュート回路がミュート状態に設定される。それにより、ソースの電源オフ時、デジタル信号のフォーマットの変化時、ケーブルの接続不良時、信号の未入力時または伝送系の不良時の音声ノイズを消去することができる。
【００３５】
受信部により受信されるデジタル信号は制御信号を含み、検出装置は、制御信号に基づいてデジタル信号のフォーマットの変化を検出する変化検出回路を含み、制御装置は、変化検出回路によりフォーマットの変化が検出された場合にミュート回路をミュート状態に設定してもよい。
【００３６】
この場合、デジタル信号のフォーマットの変化が検出された場合にミュート回路がミュート状態に設定される。それにより、デジタル信号のフォーマットの変化時の音声ノイズを消去することができる。
【００３７】
受信部により受信されるデジタル信号は映像信号および同期信号を含み、検出装置は、同期信号に基づいて映像信号のフォーマットをインターフェイス状態として検出するフォーマット検出回路を含み、制御装置は、フォーマット検出回路により映像信号のフォーマットの変化が検出された場合にミュート回路をミュート状態に設定してもよい。
【００３８】
この場合、映像信号のフォーマットの変化が検出された場合にミュート回路がミュート状態に設定される。それにより、デジタル信号のフォーマットの変化時の音声ノイズを消去することができる。
【００３９】
受信部により受信されるデジタル信号は同期信号を含み、受信部により受信されるデジタル信号から同期信号を分離する同期分離回路をさらに備え、検出装置は、同期分離回路により分離された同期信号が安定しているか否かをインターフェイス状態として検出する同期検出回路を含み、制御装置は、同期検出回路により同期信号が不安定状態にあることが検出された場合にミュート回路をミュート状態に設定してもよい。
【００４０】
この場合、デジタル信号から分離された同期信号が不安定状態にある場合にミュート回路がミュート状態に設定される。それにより、ソースの電源オフ時、デジタル信号のフォーマットの変化時、ケーブルの接続不良時、信号の未入力時または伝送系の不良時の音声ノイズを消去することができる。
【００４１】
検出装置は、インターフェイス状態として複数の状態を検出する複数の状態検出回路を含み、制御装置は、複数の状態検出回路により検出された複数の状態のうち少なくとも１つが所定の不良状態である場合にミュート回路をミュート状態に設定してもよい。
【００４２】
複数の状態検出回路により検出された複数の状態のうち少なくとも１つが所定の不良状態である場合にミュート回路がミュート状態に設定される。それにより、種々の不良状態の発生時に音声ノイズを消去することができる。
【００４３】
受信部により受信されるデジタル信号は映像信号および制御信号を含み、受信部により受信される映像信号にオンスクリーン表示のための信号を合成するオンスクリーン表示処理回路をさらに備え、制御装置は、検出装置の検出結果に基づくメッセージがオンスクリーン表示されるようにオンスクリーン表示処理回路を制御してもよい。
【００４４】
この場合、検出装置の検出結果に基づくメッセージがオンスクリーン表示される。それにより、ユーザは、インターフェイス状態が不良状態であることを容易に認識することができる。
【００４５】
受信部は、ソースから送信されるクロック信号をさらに受信し、制御装置は、ソースから供給される電源電圧のレベルが所定のしきい値以下でありかつクロック信号の入力が検出されずかつデジタル信号の入力が検出されない場合に、信号の未入力を示すメッセージがオンスクリーン表示されるようにオンスクリーン表示処理回路を制御してもよい。
【００４６】
この場合、信号の未入力を示すメッセージがオンスクリーン表示される。それにより、ユーザは、信号の未入力状態であることを容易に認識することができる。
【００４７】
受信部は、ソースから送信されるクロック信号をさらに受信し、制御装置は、デジタル信号から抽出される同期信号が安定状態にありかつクロック信号から生成される映像クロック信号が安定状態にあり、かつ、デジタル信号のエラー率が所定値を超える場合、制御信号に基づいて発生される音声クロック信号が不安定状態にある場合、または制御信号が一定時間内に変化している場合に、著作権保護技術の認証にエラーが生じたことを示すメッセージがオンスクリーン表示されるようにオンスクリーン表示処理回路を制御してもよい。
【００４８】
この場合、著作権保護技術の認証にエラーが生じたことを示すメッセージがオンスクリーン表示される。それにより、ユーザは、著作権保護技術の認証にエラーが生じたことを容易に認識することができる。
【００４９】
受信部は、ソースから送信されるクロック信号をさらに受信し、制御装置は、デジタル信号から抽出される同期信号が不安定状態にありかつクロック信号から生成される映像クロック信号が不安定状態にあり、かつ、デジタル信号のエラー率が所定値を超える場合、制御信号に基づいて発生される音声クロック信号が不安定状態にある場合、または制御信号が一定時間内で変化している場合に、伝送系のエラーが生じたことを示すメッセージがオンスクリーン表示されるようにオンスクリーン表示処理回路を制御してもよい。
【００５０】
この場合、伝送系のエラーが生じたことを示すメッセージがオンスクリーン表示される。それにより、ユーザは、伝送系のエラーが生じたことを容易に認識することができる。
【発明を実施するための最良の形態】
【００５１】
図１は本発明の一実施の形態に係る高速デジタル映像音声インターフェイス受信装置の構成を示すブロック図である。
【００５２】
図１において、高速デジタル映像音声インターフェイス受信装置（以下、デジタルインターフェイス受信装置と略記する）は、複数のＴＭＤＳレベル検出回路１ａ，１ｂ，１ｃ，１ｄ、複数の差動バッファ２ａ，２ｂ，２ｃ，２ｄ、逓倍回路３、ＴＭＤＳ／ＨＤＣＰ（Hi-Bandwidth Digital Content Protection）復号部４、映像／同期／音声・制御信号
分離回路（以下、分離回路と略記する）５、音声クロック発生回路６、エラー訂正検出回路７、音声／制御分離回路（以下、分離回路と略記する）８、音声ＤＡＣ（デジタルアナログ変換器）９および音声ミュート回路１０を備える。このデジタルインターフェイス受信装置は、電圧検出回路１１、クロック検出回路１２、ＡＮＤ回路１３、ロック検出回路１４、音声ＰＬＬ（位相同期ループ）ロック検出回路１５、制御信号変化検出回路１６、同期検出回路１７、音声制御装置１８およびＯＳＤ（オンスクリーン表示）処理回路２０を備える。
【００５３】
ＯＳＤ処理回路２０には、ＣＲＴ（陰極線管）、液晶表示装置、プラズマディスプレイ装置等の表示装置３０が接続される。また、音声ミュート回路１０には、スピーカ４０が接続される。
【００５４】
このデジタルインターフェイス受信装置は、テレビジョン受像機等の映像表示装置内に設けられる。
【００５５】
デジタルインターフェイス受信装置には、ソース機器からＨＭＤＩ規格、ＤＶＩ規格等の高速デジタルインターフェイス規格に準拠したデジタル信号が与えられる。
【００５６】
ここで、ソース機器は、例えば、ＤＶＤ（デジタルバーサタイルディスク）再生機器、ＳＴＢ（セットトップボックス）、パーソナルコンピュータ等である。
【００５７】
ソース機器は、ＬＶＤＳ（Low Voltage Differential Signaling）規格、ＴＭＤＳ規格等の出力バッファを有する。本実施の形態では、ソース機器はＴＭＤＳ規格の出力バッファを有する。
【００５８】
また、本実施の形態では、デジタルインターフェイス受信装置がＨＤＭＩ規格に従うＨＤＭＩインタフェイスケーブルによりソース機器に接続されるものとする。ＨＤＭＩ規格によれば、映像信号を送信するともに、映像信号のブランキング期間（垂直ブランキング期間および水平ブランキング期間）に補足データを送信することができる。補足データには、音声信号およびＩｎｆｏＦｒａｍｅ（情報フレーム）と呼ばれるデータパケットが含まれる。
【００５９】
ＴＭＤＳレベル検出回路１ａ，１ｂ，１ｃ，１ｄには、ソース機器からケーブルを通して伝送されるＴＭＤＳ方式のデータ（デジタル信号）ＣＨ０，ＣＨ１，ＣＨ２およびクロック信号ＣＬＫがそれぞれ与えられる。また、差動バッファ２ａ，２ｂ，２ｃ，２ｄにも、データＣＨ０，ＣＨ１，ＣＨ２およびクロック信号ＣＬＫがそれぞれ与えられる。データＣＨ０，ＣＨ１，ＣＨ２には、映像信号、同期信号、音声信号および制御信号が多重化されている。
【００６０】
ＴＭＤＳレベル検出回路１ａ，１ｂ，１ｃ，１ｄは、データＣＨ０，ＣＨ１，ＣＨ２およびクロック信号ＣＬＫのレベルが所定値以上であるか否かを判別し、判別結果を示す出力信号をＡＮＤ回路１３に与える。ＴＭＤＳレベル検出回路１ａ，１ｂ，１ｃ，１ｄの出力信号は、それぞれデータＣＨ０，ＣＨ１，ＣＨ２およびクロック信号ＣＬＫのレベルが所定値以上である場合にＨレベル（ハイレベル）となり、それぞれデータＣＨ０，ＣＨ１，ＣＨ２およびクロック信号ＣＬＫのレベルのいずれか１つでも所定値よりも低い場合にＬレベル（ローレベル）となる。
【００６１】
差動バッファ２ａ，２ｂ，２ｃは、データＣＨ０，ＣＨ１，ＣＨ２を復号部４に与える。差動バッファ２ｄは、クロック信号ＣＬＫを逓倍回路３およびクロック検出回路１２に与える。
【００６２】
逓倍回路３は、クロック信号ＣＬＫからＴＭＤＳ復号のための高速クロック信号ＣＬＫ１を発生し、高速クロック信号ＣＬＫ１を復号部４およびロック検出回路１４に与える。
【００６３】
復号部４は、高速クロック信号ＣＬＫ１を用いてＴＭＤＳ方式のデータＣＨ０，ＣＨ１，ＣＨ２を復号するとともに、デジタルコンテンツプロテクションであるＨＤＣＰを復号する。
【００６４】
分離回路５は、復号部４により復号されたデータから映像信号ＶＤ、映像同期信号ＳＹおよび音声・制御信号ＡＣを分離する。映像信号ＶＤは、赤色コンポーネント信号Ｒ、緑色コンポーネント信号Ｇおよび青色コンポーネント信号Ｂからなる。あるいは、映像信号ＶＤは、輝度信号Ｙおよび色差信号Ｐｂ，Ｐｒからなってもよい。映像同期信号ＳＹは、水平同期信号Ｈ、垂直同期信号Ｖおよびデータイネーブル信号ＤＥからなる。
【００６５】
ＯＳＤ処理回路２０は、後述する音声制御装置１８から出力されるＯＳＤ制御信号ＯＳに基づいて映像信号ＶＤにオンスクリーン表示のためのグラフィック信号を合成し、合成された映像信号ＶＤ１を出力するとともに映像同期信号ＳＹを出力する。
【００６６】
エラー訂正検出回路７は、分離回路５から出力される音声・制御信号ＡＣのエラーを検出および訂正し、訂正された音声・制御信号ＡＣを分離回路８に出力するとともに、エラー率の検出結果を示す出力信号ｅを音声制御装置１８に与える。出力信号ｅは、エラー率が所定値以下の場合にＨレベルになり、エラー率が所定値を超える場合にＬレベルとなる。
【００６７】
分離回路８は、エラー訂正検出回路７から出力される音声・制御信号ＡＣをデジタル音声信号ＡＳ０と制御信号ＣＮとに分離する。この制御信号ＣＮは、ソース機器から映像ブランキング期間に伝送される。
【００６８】
音声クロック発生回路６は、分周比／逓倍比情報を用いて音声クロック信号を発生する。ここで、分周比／逓倍比情報は、映像クロック信号から音声クロック信号を作成するためにソース機器から映像ブランキング期間に制御信号の一部として伝送される。
【００６９】
音声ＤＡＣ９は、分離回路８から出力されるデジタル音声信号ＡＳ０をアナログ音声信号ＡＳに変換する。音声ミュート回路１０は、後述する音声制御装置１８から出力される音声ミュート信号ｉに基づいて音声ＤＡＣ９から出力されるアナログ音声信号ＡＳのミュート動作を行う。
【００７０】
電圧検出回路１１は、ソース機器から供給される５Ｖの電源電圧を検出し、検出結果を示す出力信号ａを音声制御装置１８に与える。出力信号ａは、電源電圧のレベルが所定のしきい値を超える場合にＨレベルとなり、電源電圧のレベルがしきい値以下の場合にはＬレベルとなる。
【００７１】
クロック検出回路１２は、ソース機器から伝送されるクロック信号ＣＬＫの入力の有無を判別し、判別結果を示す出力信号ｂを音声制御装置１８に与える。出力信号ｂは、クロック信号ＣＬＫの入力がある場合にＨレベルとなり、クロック信号ＣＬＫの入力がない場合にＬレベルとなる。
【００７２】
ＡＮＤ回路１３は、ＴＭＤＳレベル検出回路１ａ，１ｂ，１ｃ，１ｄの出力信号の論理積を演算し、演算結果を示す出力信号ｃを音声制御装置１８に与える。出力信号ｃは、データＣＨ０，ＣＨ１，ＣＨ２およびクロック信号ＣＬＫのすべてのレベルが所定値を超える場合にＨレベルとなり、その他の場合にＬレベルとなる。
【００７３】
ロック検出回路１４は、逓倍回路３がロック状態にあるか否かを判別し、判別結果を示す出力信号ｄを音声制御装置１８に与える。出力信号ｄは、逓倍回路３がロック状態にある場合にＨレベルとなり、逓倍回路３が非ロック状態にある場合にＬレベルとなる。
【００７４】
音声ＰＬＬロック検出回路１５は、音声クロック発生回路６がロック状態にあるか否かを判別し、判別結果を示す出力信号ｆを音声制御装置１８に与える。出力信号ｆは、音声クロック発生回路６がロック状態にある場合にＨレベルになり、音声クロック発生回路６が非ロック状態にある場合にＬレベルとなる。
【００７５】
制御信号変化検出回路１６は、分離回路８から出力される制御信号ＣＮの変化を検出し、制御信号ＣＮの変化の検出結果を示す出力信号ｇを音声制御装置１８に与える。出力信号ｇは、制御信号ＣＮの変化が検出されない場合にＨレベルとなり、制御信号ＣＮの変化が検出された場合にＬレベルとなる。
【００７６】
同期検出回路１７は、映像同期信号ＳＹが安定して出力されているか否かを判別し、判別結果を示す出力信号ｈを音声制御装置１８に与える。出力信号ｈは、映像同期信号ＳＹが安定して出力されている場合にＨレベルとなり、映像同期信号ＳＹが不安定状態にある場合にＬレベルとなる。
【００７７】
音声制御装置１８は、電圧検出回路１１の出力信号ａ、クロック検出回路１２の出力信号ｂ、ＡＮＤ回路１３の出力信号ｃ、ロック検出回路１４の出力信号ｄ、エラー訂正検出回路７の出力信号ｅ、音声ＰＬＬロック検出回路１５の出力信号ｆ、制御信号変化検出回路１６の出力信号ｇおよび同期検出回路１７の出力信号ｈに基づいて音声ミュート信号ｉを生成し、その音声ミュート信号ｉを音声ミュート回路１０に与えるとともに、ＯＳＤ制御信号ＯＳをＯＳＤ処理回路２０に与える。
【００７８】
この場合、音声制御装置１８は、出力信号ａ〜ｈのうち少なくとも１つがＬレベルになると、音声ミュート信号ｉをミュート制御状態（Ｌレベル）にする。それにより、音声ミュート回路１０がミュート状態になる。また、音声制御装置１８は、出力信号ａ〜ｈのすべてがＨレベルになると、音声ミュート信号ｉをミュート解除状態（Ｈレベル）にする。それにより、音声ミュート回路１０のミュート状態が解除される。
【００７９】
音声制御装置１８は、マイクロコンピュータ等のプロセッサにより構成されてもよく、回路構成組替え可能なリコンフィギャブルロジックにより構成されてもよく、専用回路により構成されてもよく、あるいはこれらのうち２つまたは３つの組み合わせにより構成されてもよい。
【００８０】
図２は図１のデジタルインターフェイス受信装置の動作の一例を示す図である。
【００８１】
図２において、電源がオフのときには、音声制御装置１８から出力される音声ミュート信号ｉはミュート制御状態（Ｌレベル）となっている。それにより、音声ミュート回路１０がミュート状態となっている。
【００８２】
ソース機器からの映像信号および音声信号の出力が安定している場合に、タイミングＡでデジタルインターフェイス受信装置の電源がオンになると、電圧検出回路１１の出力信号ａがＨレベルになる。その後、クロック検出回路１２の出力信号ｂ、ＡＮＤ回路１３の出力信号ｃおよびロック検出回路１４の出力信号ｄがＨレベルになり、タイミングＢでエラー訂正検出回路７の出力信号ｅ、音声ＰＬＬロック検出回路１５の出力信号ｆ、制御信号変化検出回路１６の出力信号ｇおよび同期検出回路１７の出力信号ｈがＨレベルになる。
【００８３】
すべての出力信号ａ〜ｈがＨレベルになってから一定時間α経過後に音声制御装置１８から出力される音声ミュート信号ｉがＨレベルになる。それにより、タイミングＣで音声ミュート回路１０のミュート状態が解除される。一定時間αは、音声信号の遅延の影響を受けない程度の時間でよく、この一定時間αにより、ミュートの制御を確実に行うものである。
【００８４】
その状態でタイミングＤで映像信号の映像フォーマットが切り替わると、ロック検出回路１４の出力信号ｄ、音声ＰＬＬロック検出回路１５の出力信号ｆ、制御信号変化検出回路１６の出力信号ｇおよび同期検出回路１７の出力信号ｈがＬレベルになる。
【００８５】
音声制御装置１８は、出力信号ａ〜ｈのうちいずれか１つがＬレベルになると、音声ミュート信号ｉをＬレベルにする。それにより、音声ミュート回路１０がミュート状態になる。映像フォーマットの切り替えが終了すると、出力信号ｄ，ｆ，ｇ，ｈがＨレベルに戻る。それにより、タイミングＥですべての出力信号ａ〜ｈがＨレベルになる。
【００８６】
音声制御装置１８から出力される音声ミュート信号ｉは、出力信号ａ〜ｈのすべてがＨレベルになってから一定時間α経過後にＨレベルになる。それにより、タイミングＦで音声ミュート回路１０のミュート状態が解除される。
【００８７】
次に、音声信号の音声フォーマットが切り替わると、タイミングＧで音声ＰＬＬロック検出回路１５の出力信号ｆおよび制御信号変化検出回路１６の出力信号ｇがＬレベルになる。
【００８８】
音声制御装置１８は、出力信号ａ〜ｈのいずれか１つがＬレベルになると、音声ミュート信号ｉをＬレベルにする。それにより、音声ミュート回路１０がミュート状態になる。音声フォーマットの切り替えが終了すると、出力信号ｆ，ｇがＨレベルに戻る。それにより、タイミングＨで出力信号ａ〜ｈのすべてがＨレベルになる。
【００８９】
音声制御装置１８から出力される音声ミュート信号ｉは、出力信号ａ〜ｈのすべてがＨレベルになってから一定時間α経過後にＨレベルになる。それにより、タイミングＩで音声ミュート回路１０のミュート状態が解除される。
【００９０】
次に、タイミングＪでケーブルが抜けた場合に、出力信号ａ，ｂ，ｃ，ｄ，ｅ，ｆ，ｇ，ｈがＬレベルになる。音声制御装置１８は、出力信号ａ〜ｈのいずれか１つがＬレベルになると、音声ミュート信号ｉをＬレベルにする。それにより、音声ミュート回路１０がミュート状態となる。この場合、出力信号ａ〜ｉのうち出力信号ｇのみが一定時間経過後にＨレベルに戻るが、それ以外の出力信号ａ，ｂ，ｃ，ｄ，ｅ，ｆ，ｈはケーブルが挿入されるまでＬレベルを維持する。その結果、音声ミュート回路１０はミュート状態を継続する。
【００９１】
次に、タイミングＫでケーブルが挿し込まれた場合には、出力信号ａ，ｂ，ｃ，ｄ，ｅ，ｆ，ｈがＨレベルに戻る。それにより、タイミングＬで出力信号ａ〜ｈのすべてがＨレベルになる。音声制御装置１８から出力される音声ミュート信号ｉは、出力信号ａ〜ｈのすべてがＨレベルになってから一定時間α経過後にＨレベルになる。それにより、タイミングＭで音声ミュート回路１０のミュート状態が解除される。
【００９２】
図３はエラー発生時のデジタルインターフェイス受信装置における信号の状態およびオンスクリーン表示の第１の例を示す図である。
【００９３】
図３（ａ）の例は、ケーブル未接続またはソース機器の電源オフによる伝送エラーが発生した場合の出力信号ａ〜ｈおよび音声ミュート信号ｉの状態を示している。この場合、データＣＨ０，ＣＨ１，ＣＨ２およびクロック信号ＣＬＫが未入力状態となる。
【００９４】
出力信号ａ，ｂ，ｃが所定時間以上Ｌレベルで安定している場合には、図１の音声制御装置１８はデータＣＨ０，ＣＨ１，ＣＨ１およびクロック信号ＣＬＫの少なくとも１つが未入力状態であると判定し、表示装置３０の画面に図３（ｂ）のようなオンスクリーン表示を行うようにＯＳＤ制御信号ＯＳによりＯＳＤ処理回路２０を制御する。
【００９５】
図３（ｂ）の例では、表示装置３０の画面に伝送エラーが発生している旨のメッセージおよびケーブル接続またはソース機器の電源を確認すべき旨のメッセージが表示される。
【００９６】
図４はエラー発生時のデジタルインターフェイス受信装置における信号の状態およびオンスクリーン表示の第２の例を示す図である。
【００９７】
図４（ａ）の例は、ケーブルの接続不良による伝送エラーが発生した場合の出力信号ａ〜ｈおよび音声ミュート信号ｉの状態を示している。
【００９８】
出力信号ａ，ｂ，ｃが所定時間以上Ｈレベルで安定しており、かつ出力信号ｄ，ｅ，ｆ，ｇ，ｈが一定時間内においてＬレベルおよびＨレベルに繰り返し変化するかまたはＬレベルの状態である場合には、図１の音声制御装置１８は伝送エラーが発生していると判定し、表示装置３０の画面に図４（ｂ）のオンスクリーン表示を行うようにＯＳＤ制御信号ＯＳによりＯＳＤ処理回路２０を制御する。
【００９９】
図４（ｂ）の例では、表示装置３０の画面に伝送エラーが発生している旨のメッセージおよびケーブル接続を確認すべき旨のメッセージが表示される。
【０１００】
図５はエラー発生時のデジタルインターフェイス受信装置における信号の状態およびオンスクリーン表示の第３の例を示す図である。
【０１０１】
図５（ａ）の例は、ＨＤＣＰ認証エラーが発生した場合の出力信号ａ〜ｈのおよび音声ミュート信号ｉの状態を示している。
【０１０２】
出力信号ａ，ｂ，ｃ，ｄ，ｈがＨレベルで安定しており、かつ出力信号ｅ，ｆ，ｇが一定時間内においてＬレベルおよびＨレベルに繰り返し変化するかまたはＬレベルの状態にある場合には、図１の音声制御装置１８は著作権保護のためのＨＤＣＰの認証エラーが発生していると判定し、表示装置３０の画面に図５（ｂ）のようなオンスクリーン表示を行うようにＯＳＤ制御信号ＯＳによりＯＳＤ処理回路２０を制御する。
【０１０３】
図５（ｂ）の例では、表示装置３０の画面に認証エラーが発生している旨のメッセージおよび所定の者に連絡すべき旨のメッセージが表示される。
【０１０４】
以上のように、本実施の形態に係るデジタルインターフェイス受信装置においては、映像信号、音声信号および制御信号を伝送する高速デジタルインターフェイス規格に準拠したデジタル信号において、各種状態変化により生じる音声ノイズを抑制することが可能となる。それにより、音声ノイズによりユーザに不快感を与えることが防止されるとともに、スピーカ４０等の音声出力装置にダメージを与えることが回避される。
【０１０５】
また、エラー状態をオンスクリーン表示することにより、ユーザに音声ノイズの発生原因を認識させることが可能となる。
【０１０６】
本実施の形態では、差動バッファ２ａ〜２ｄが受信部に相当し、ＴＭＤＳレベル検出回路１ａ〜１ｄ、エラー訂正検出回路７、電圧検出回路１１、クロック検出回路１２、ＡＮＤ回路１３、ロック検出回路１４、音声ＰＬＬロック検出回路１５、制御信号変化検出回路１６および同期検出回路１７が検出装置または複数の状態検出回路に相当する。また、音声ミュート回路１０がミュート回路に相当し、音声制御装置１８が制御装置に相当する。
【０１０７】
さらに、電圧検出回路１１が電圧検出回路に相当し、クロック検出回路１２がクロック検出回路に相当し、逓倍回路３が逓倍回路に相当し、ロック検出回路１４がロック検出回路に相当し、ＴＭＤＳレベル検出回路１ａ〜１ｄおよびＡＮＤ回路１３がデジタル信号検出回路、動作状態検出回路またはレベル検出回路に相当し、エラー訂正検出回路７がエラー検出回路に相当し、音声クロック発生回路６が音声クロック発生回路に相当し、音声ＰＬＬロック検出回路１５がロック検出回路に相当し、制御信号変化検出回路１６が変化検出回路またはフォーマット検出回路に相当し、分離回路５が同期信号分離回路に相当し、同期検出回路１７が同期検出回路に相当し、ＯＳＤ処理回路２０がオンスクリーン表示処理回路に相当する。
【０１０８】
なお、本実施の形態では、デジタルインターフェイス受信装置がＨＤＭＩ規格に準拠したデジタル信号を受信するよう構成されているが、ソース機器からＤＶＩ規格等の他の高速デジタルインターフェイス規格に準拠したデジタル信号を受信するように、デジタルインターフェイス受信装置を構成してもよい。
【図面の簡単な説明】
【０１０９】
【図１】  図１は、本発明の一実施の形態に係る高速デジタル映像音声インターフェイス受信装置の構成を示すブロック図、
【図２】  図２は、図１のデジタルインターフェイス受信装置の動作の一例を示す図、
【図３】  図３（ａ）は、エラー発生時のデジタルインターフェイス受信装置における信号の状態を示す図、
図３（ｂ）は、オンスクリーン表示の第１の例を示す図、
【図４】  図４は（ａ）は、エラー発生時のデジタルインターフェイス受信装置における信号の状態を示す図、
図４は（ｂ）は、オンスクリーン表示の第２の例を示す図、
【図５】  図５（ａ）は、エラー発生時のデジタルインターフェイス受信装置における信号の状態を示す図、
図５（ｂ）は、オンスクリーン表示の第３の例を示す図、
【図６】  図６は、ＤＶＩ規格に従う従来の信号伝送システムの構成を示す図である。
【手続補正３】
【補正対象書類名】図面
【補正対象項目名】全図
【補正方法】変更
【補正の内容】
【図１】
2004107750.tif 000009
【図２】
2004107750.tif 000010
【図３】
2004107750.tif 000011
【図４】
2004107750.tif 000012
【図５】
2004107750.tif 000013
【図６】
2004107750.tif 000014
【国際調査報告】
2004107750.tif 000015
2004107750.tif 000016
2004107750.tif 000017
2004107750.tif 000018